(57)【特許請求の範囲】
【請求項１】
無線アクセス通信システム（３０）において端末（３５）でシステム情報を受信する方法であって、前記無線アクセス通信システムが、実行モードの前記端末とユーザ・データを交換するのをサポートするように最適化される小エリア・セル（ＳＡセル）（３３，３４）と、待機モードの前記端末への信号接続を提供するように最適化される大エリア・セル（ＬＡセル）（３２）とを少なくとも備え、前記端末が、ＳＡセル無線インターフェースと、ＬＡセル無線インターフェースとを備え、当該方法が、
前記端末が実行モードであり、且つ、前記端末のＳＡセル無線インターフェースが有効化されるときに、前記端末による、
前記端末についてのＳＡセル・システム情報の少なくとも一部を、前記ＳＡセル無線インターフェースを介して前記ＳＡセルから受信するステップ（６１）と、
複数の時間期間の内の１つ以上の間に、前記端末のＬＡセル無線インターフェースを有効化するステップ（６２）と、
前記端末についてのＬＡセル・システム情報の少なくとも一部を、前記ＬＡセル無線インターフェースを介して前記ＬＡセルから受信するステップ（６３）と
を含む、方法。
【請求項２】
請求項１記載の方法であって、更に、前記端末が実行モードであるときに、前記端末が、前記ＳＡセルから前記端末へのユーザ・データの送信をいつ休止すべきかについての指示を前記ＳＡセルに提供するステップを含む、方法。
【請求項３】
請求項１または２記載の方法であって、更に、
前記端末は、前記ＬＡセル無線インターフェースが有効化されるときに前記ＳＡセル無線インターフェースを無効化し、前記ＳＡセル無線インターフェースが有効化されるときに前記ＬＡセル無線インターフェースを無効化するステップを含む、方法。
【請求項４】
請求項１から３のいずれか一項記載のステップを実行する手段を備える、端末（３５）。
【請求項５】
プロセッサによって実行されると、請求項１から３のいずれか一項記載のステップを実行するように構成されるソフトウェア・コード部を有するコンピュータ・プログラム。
【請求項６】
請求項１から３のいずれか一項記載の方法、および／または請求項４記載の端末（３５）で使用するように構成されるＬＡセル（３２）であって、
前記複数の時間期間の少なくとも一部の間、前記端末についての前記ＬＡセル・システム情報の少なくとも一部を送信し、前記複数の時間期間の各時間期間が、前記端末についての前記ＬＡセル・システム情報のどの部分も送信されない時間期間に隣接するように少なくとも構成される、ＬＡセル。
【請求項７】
請求項６記載のＬＡセルにおいて、前記複数の時間期間が第１の所定のパターンに、例えば定期的にセットされる、ＬＡセル。
【請求項８】
請求項６または７記載のＬＡセルにおいて、前記複数の時間期間の内少なくとも１つは、前記ＳＡセルが前記ＳＡセル・システム情報を送信するのと同期される、ＬＡセル。
【請求項９】
請求項４記載の端末（３５）、および／または請求項６から８のいずれか一項記載のＬＡセル３２と共に、請求項１から３のいずれか一項記載の方法で使用されるように構成されるＳＡセル（３３，３４）であって、
複数のＳＡ時間期間の間に前記端末についての前記ＳＡセル・システム情報の少なくとも一部を送信し、前記複数のＳＡ時間期間の各時間期間は、前記端末についての前記ＳＡセル・システム情報のどの部分も送信されない時間期間に隣接するように少なくとも構成される、ＳＡセル。
【請求項１０】
請求項９記載のＳＡセルであって、更に、前記端末についての前記ＳＡセル・システム情報の前記少なくとも一部が送信されるときに、前記ＳＡセルから前記端末への前記ユーザ・データの送信を休止するように更に構成される、ＳＡセル。
【請求項１１】
請求項９または１０記載のＳＡセルにおいて、前記複数のＳＡ時間期間が第２の所定のパターンに、例えば定期的にセットされる、ＳＡセル。
【請求項１２】
請求項９から１１のいずれか一項記載のＳＡセルにおいて、前記複数のＳＡ時間期間の内少なくとも１つは、前記ＬＡセルが前記ＬＡセル・システム情報を送信するのと同期される、ＳＡセル。
【請求項１３】
請求項１または２記載のＳＡセルにおいて、
前記ＳＡセルから前記端末へのユーザ・データの送信をいつ休止すべきかについての指示を前記端末から受信し、
前記指示の受け取りに応じて、前記ＳＡセルから前記端末への前記ユーザ・データの送信を休止する、ＳＡセル。
【請求項１４】
請求項１３記載のＳＡセルにおいて、前記端末についての前記ＳＡセル・システム情報の少なくとも一部の内少なくとも一部分が、前記複数のＬＡ時間期間外において当該ＳＡセルによって送信される、ＳＡセル。
【請求項１５】
請求項１４記載のＳＡセルにおいて、前記複数のＬＡ時間期間が第１期間を有する定期的パターンにセットされ、前記複数のＳＡ時間期間が第２期間を有する定期パターンでセットされ、
前記第２期間が前記第１期間とは所定の時間異なり、任意で、前記所定の時間が、少なくとも、前記複数のＬＡ時間期間の内１つの間隔である、ＳＡセル。
【発明の詳細な説明】
【技術分野】
【０００１】
一般に、本発明は、無線通信の分野に関する。より具体的には、本発明は、端末に、セルからシステム情報を配信の分野に関する。
【背景技術】
【０００２】
セル電話の無線アクセス通信ネットワーク（システム）は、例えば、無線基地局と呼ばれ、ＧＳＭ（登録商標）、ノードＢからなるＷＣＤＭＡ（登録商標）（ＵＭＴＳ）、改良ノードＢ又はｅＮＢからなるＬＴＥは、典型的には、複数の基地局を含むものとしても知られている。基地局は、形式上はＵＥ（ユーザ機器）としても知られ、標準化した（おそらくモバイル）端末との無線通信をサポートする送受信機器を少なくとも含んでいる。基地局における送信機／受信機でカバーできる範囲が制限されている。基地局の送信機／受信機によってサービス可能な領域は、その「カバーエリア」として、または「セル」と呼ばれる。本明細書において、用語「セル」は基地局自体およびその関連するカバーエリアの両方を指す。一般に、セルは、基地局位置から（例えば１２０度）放射状に広がった特定のセクタに関係し、複数のセクタ（セル）が基地局位置周辺領域全体をカバーしても良いし、或いは、関心の高い特定のセクタ（例えば、狭いセクタをカバーする高速道路の区間）をカバーしても良い。
【０００３】
セルラネットワーク内のセル（基地局）は、通常は、例えば、光ファイバ、銅線または無線であるところの、一つ以上の中継回線を介して残りのネットワークに接続されている。基地局は、例えば、基地局と端末との間、基地局と他の基地局（セル）を含むネットワークとの間での無線送受信、プロトコル指定といった処理能力を備えている。
【０００４】
セルラネットワークにおいて、異なるセルが異なるサイズを有していてもよく、例えば、セルサイズの降順でマクロセル、マイクロセル、ピコセル、またはフェムトセルとして示される。セルが近くのセルとの部分的な重複を示すことができ、より小さなセル（例えばピコセル）は完全に大きなセル（例えばマクロセル）と重なることができる。複数のセルは、このように非常に大きな領域内の連続範囲の隣接に設けるセルラネットワークを形成してもよい。
【０００５】
セルラ無線ネットワークでは、「待機モード」または「実行モード」であるかで端末を区別することが一般的である。実行モードでは、端末は、端末が位置するセルを介して（例えば、電子メールを受信／送信し、電話をかけて）データを交換することができる。これは、ネットワーク内の資源を必要とする（例えば、周波数および／または信号および／または時間帯）、また目的のために電力を供給するための端末とネットワークを必要とする。待機モードの端末は、データを交換することができないため、上記の資源を必要とせず、消費電力も少ない。待機モードの端末は、定期的にセルによって通信された信号に耳を傾け、端末が強力に受信する信号、たとえば「ベストセル」となるセルを選択する。待機モードの端末は、端末をアドレス指定したページングメッセージのために選択されたセルによって送信されたコンピュータページングチャネルを監視もする。このような（待機モード）端末が選択されたセルのことをキャンプオンと言っている。例えば、端末の可動性のため、別のセルがベストセルとして識別されると、端末は、「ベストセル」とキャンプオンの新たに選択したセルなどを別のセルとして再選択することができます。これは、待機モードの端末が正常にもベストセルとして別のセルを再選択しない場合に、端末がキャンプオンに選択されたセルについてのセルおよび／またはネットワークに通知しないことに留意すべきである。別のロケーションエリア（ＬＡまたはＲＡ−ルーティングエリア）であると見つけ出されているセルに端末を再選択するとき、端末がセルのシステム情報から決定することができる端末は、ネットワークを介しての接触を開始する（端末とセルとの間の通信信号またはネットワーク制御メッセージの交換を含む）、ＬＡまたはＲＡ更新手順を実行するための新たなセルを選択し、そして上記のように、その後、監視動作を再開する。従って、通常ネットワークオペレータによって設定されるＬＡ／ＲＡネットワークは、複数のセルを含むＬＡ／ＲＡ上に配置されている端末から待機状態だと知らされる。その結果、ネットワークが待機モードの端末がセルにキャンプオンしたことを認識しておらず、それは、ＬＡ／ＲＡ待機モードの端末が配置（される予定）さとだけ認識している。
【０００６】
無線通信のためのセルラネットワークにおいて、各セル、無線基地局、ノードＢ、または改良ノードＢは、データ通信の動作時には、セルのカバーエリア内の端末による受信のために、いわゆる「システム情報」をデータ通信することが一般的である。これが概略的に示されている図１では、セル１は、システム情報がセル内のカバーエリア内（図１に軽く影付き領域として例示）にシステム情報９をデータ通信していることを示す端末２で受信されてもよいし、また、セル１がネットワーク３に接続されていてもよい。
【０００７】
セルによって送信されるシステム情報は、セルと、またはネットワーク上の動作に関連する多種多様な情報に関するものであってもよい。端末によってシステム情報とその情報の可能な用途の例をいくつか挙げている。当業者であれば、端末自身が受信し、システム情報を設定していることによれば、そのシステム情報には、１つまたは複数のこれらの例と同様に他の複数のシステム情報を含んでよいことが理解されよう。
【０００８】
一例において、システム情報は、例えば公衆ランドモバイルネットワーク（ＰＬＭＮ）、属しているセル、おそらくそのセル全てで使用することができるかどうかを決定するためのシステム情報の受信が可能な端末、のようなネットワークの表示を含んで良い。別の例では、システム情報は、例えば、セルの動作中か否か、または、例えば、アクセスクラスのような任意の制限が適用されるかどうか、セルの状態の表示を含んでいてもよい。そのような情報は、端末が、現時点では、そのセルを使用することができるか否かを判断することを可能にします。さらに、システム情報は、端末がネットワーク内のセル群の識別の決定を可能にするセル（セルＩＤ）の識別表示を含んでよい。さらに他の実施例において、システム情報は、例えば、周波数又は周波数帯又はコード又はセルの動作時間帯、セルにより提供されるチャネルの設定に関する情報、セルの様々なチャネルを受信するための正確な設定を可能にする、又は、例えば、周波数、チャネル、およびコードは、端末がそのセルとの初期接続を可能にするようなＲＡＣＨ（ランダムアクセスチャネル）のパラメータなど、セルの構成の表示を含んでもよい。さらに、システム情報は、例えば、同一性および／または周波数を送信および／または、例えば、隣接セル群の、識別記号、送信周波数、コード、動作時間を含んだ隣接セルリストのような隣接セルの情報を含んでよい。ネットワークが、例えばＧＳＭ（登録商標）（ＧＥＲＡＮ−ＧＰＲＳ／ＥＤＧＥ無線アクセスネットワーク）、ＵＭＴＳ（ＵＴＲＡＮ−ＵＭＴＳ地上波無線アクセスネットワーク、ＷＣＤＭＡ（登録商標）−ワイドバンド符号分割マルチ接続）、又はＬＴＥ（Ｅ−ＵＴＲＡＮ−改良型ＵＴＲＡＮ、ＯＦＤＭ使用−直交周波数分割多重方式）のような複数の無線アクセス技術（ＲＡＴ）をサポートしている場合、隣接セル情報が、例えば、ＲＡＴごとに別途供給されてもよい。これは端末が、例えば、潜在するセルの再選択、又は移譲目的の隣接セルを評価するため、隣接セルを（迅速に）探すことを可能とし、容易にする。さらに別の例において、システム情報は、例えば、再選択セルおよび／または実行開始点および／または隣接セル上での測定値および／または他のセルでの周波数および／またはネットワーク内又はセル内で適用されるべき基準についてネットワーク端末への情報を許可されたＲＡＴに関する基準についての表示を含んでいてもよい。
【０００９】
これは、例えば、セルのカバーエリア内の全ての端末がセルのシステム情報を受信することができるように、セルは、データ通信チャネル上で、システム情報をデータ通信することが一般的である。通常は、セルは、順番通りに、周期的にシステム情報を送信し、かなり連続した方法、例えば、図２に示すように、カルーセルのような構造で周期的なシステム情報の送信を繰り返す。図２に示すように、サイクル４は、システム情報ブロックＭ、Ｓ１、Ｓ２、Ｓ３及びＳ４として示され、別のカテゴリで組織されるシステム情報を含む。ブロックＳ１−Ｓ４が、一部の端末にだけに必要とされてもよい付加情報を伴う付加システム情報ブロック（ＳＩＢ）を例示しようとしている間、必須であるシステム情報を含むブロックＭは、ほとんど又はネットワーク内の全端末のために必要とされるマスター情報ブロック（ＭＩＢ）を例示しようとする。送信されたシステム情報の配列５に示すように、サイクル４は、次に連続的に繰り返してよい。配列６に示すブロックＳ３とＳ４の最後の発生をシステム情報Ｓ５及びＳ６の新しいブロックに置き換えられることを配列６に示すように、何回かは、システム情報の一部のブロックは、他のブロックと置き換えてよい。それにもかかわらず、図２に示すように、配列５と６の両方では、システム情報が連続的に送信される。
【００１０】
セルの資源の大きい部分の使用（例えば、高ビットレートおよび／または広い周波数帯域幅）と、システム情報をデータ通信するためのより小さな部分のセル資源の使用との間には交換がある。資源の大部分を使用すると、短いサイクル時間を実現することができ、端末は、わずかな遅延でシステム情報のすべてを受信することを可能にするが、セルのかなりの資源を要求する。対照的に、資源のより小さな部分を使用して、端末が全部またはシステム情報の特定の部分を受信する際に、より長い待ち時間を受け入れ無ければならず、より長いサイクル時間を生む結果となる。
【００１１】
現在の最先端の技術の十分な配慮は、システム情報を配信するための柔軟で効率的な方法の実現に与えられている。それにもかかわらず、実際には、この情報をデータ通信するには、セルの資源の一部を必要とし、また、セルの送信電力及びエネルギー消費の一部の構成にもなっている。これは、セルのピーク電力（例えば、１０％未満）のわずかな割合であっても、この消費は実質上、連続的であることに留意すべきである。特に、わずかなトラフィック負荷期間のシステム情報の分布は、パーセンテージを大きく超えた構成としてもよい。したがって、従来のネットワーク構造には、より資源効率的な方法でのシステム情報の配信に関して改善の余地があると思われる。
【００１２】
最近では、新しい、よりエネルギー効率の高い、ネットワーク構造の開発が進められている。新しい構造の一態様は、比較的小さなセルの使用である。高ビットレートのデータ接続は、より大きなセルを少ない数（例えば、マクロセル）設けるよりも、（少なくとも部分的に重複する）小さな（例えば、マイクロセル、ピコセル、フェムトセル）により多数設ける方がはるかに効率的に供給することができる。新しい構造におけるさらなる局面として、セルの消費電力は、縮小を想定したスケールで、可能な限り現実的なサービスの提供（例えば、実行端末の数で用意し、端末への提供ビットレートや、端末への接続によっての距離など）にある。このビジョンを実現するための一つのアプローチは、例えば、ほぼ完全にオフにセルを切り替えられ、パワーセーブモードのセル中に実際に実行しない端末を入れておくことを含みます。別の、相補的なアプローチは、従来のネットワークで一般的なデータ通信信号を送信するのを低減し、または控えるのを含みます。これらのデータ通信信号の送信がフル負荷未満で動作するセルについて、特に、実際は負荷超過を引き起こします。
【００１３】
模式的に新しい構造を示す図３は、異なる種類のセルを区別想定している。この明細書中のセルの第１のタイプは、「ＳＡ−セル」と称し、セル７として図３に示されるように、主に、実行中の端末２とのデータの無線交換をサポートするように最適化される。上述したようなエネルギー効率の改善は、ＳＡ−セルに焦点を当てる。この明細書中のセルの第２のタイプは、「ＬＡ−セル」と称し、セル８として図３に示すように、主に、従来のネットワークで見られるものを含めて、セルラネットワーク内の他の機能を最適化する。従って、ＬＡ−セルに起因するものとして、システム内の負荷超過を低減することが想定される。
【００１４】
ＬＡ−セルは、典型的には、例えば、大きなエリアをカバーし、従来のマクロセルのそれに匹敵する。ＬＡ−セルは多くは一緒に、従来のネットワークのように、カバーされるべき所望の領域内の連続的な適用範囲内の近くで提供します。ＬＡ−セルは、多くの従来のセルと同様に、システム情報をデータ通信してもよい。すなわち待機状態の端末は、ＬＡ−セルをキャンプオンしても良いし、また、ＬＡ／ＲＡ更新を実行するか、又はネットワークから離脱するために、例えば、ＬＡ−セルとの送信信号接続を開始してもよい。
【００１５】
ＳＡ−セルは、例えば、より小さいエリアをカバーし、典型的には、従来のマイクロセル、ピコセル又はフェムトセルのそれに匹敵する。ＳＡ−セルは、一緒に、所望の近接する連続したエリア内の特定のビットレートをサポートしてもよい。それが必要なときだけ、これまでにＳＡ−セルは、信号を送信する。すなわち、通常は、オフ又はパワーセーブ又はスタンバイモード状態にあるとみなしてよい。待機状態の端末は、ＳＡ−セルにキャンプオンしていません。このようなネットワークは「ビヨンドセルラグリーン世代」（ＢＣＧ２）ネットワークと呼ばれているが、この用語は、将来変更されることがあります。したがって、本出願の明細書中において、そのような構造を有するネットワークは、「エネルギー効率の高いセルラ無線ネットワーク」と呼ぶことにする。
【００１６】
エネルギー効率のセルラ無線ネットワーク内において、端末は、２つのタイプのセル、１つ又は複数のＬＡ−セルと、１つ又は複数のＳＡ−セルとを取り扱っても良いし、一又は複数の関連ＬＡ−セルシステム情報と一又は複数の関連ＳＡ−セルシステム情報とを必要としてもよい。二つの問題は、その後発生してもよい。
【００１７】
一つの問題は、待機状態の端末が実行中になったとき、すなわち、待機状態の端末がデータ接続を確立した場合は、本来なら、適当なＳＡ−セルが、データ接続の確立をサポートするよう選択する必要があり、「データ接続の設定」としてのプロセスに帰するという事実から生じている。データ接続を確立するいくつかの解決策は、端末が、１つ、又は複数の候補ＳＡ−セルから、例えば、セルＩＤ、フレーム時間、セル帯域幅などの関連システム情報を取得する必要があるかもしれない。データ接続のための適切なＳＡ−セルが選択された場合、端末は、そのＳＡ−セルのために必要なシステム情報を追加してもよい。選択されたＳＡ−セルが現在オフ又はＢＣＧ２コンセプトの一部である省エネモードにある場合、ＳＡ−セルを稼働させる必要がある。適切なＳＡ−セルの選択と稼働には時間を必要とし得る。そのＳＡ−セルが端末に必要なシステム情報を提供することで十分な稼働するのには、結果として、いくらかの時間がかかってもよい。また、動的セルを想定した高エネルギー効率のセルラ無線ネットワークの概念は、特定のＳＡ−セル（例えば、前のデータ接続設定時に、取得、格納したＳＡ−セルのシステム情報）について以前に取得し、格納したＳＡ−セルシステム情報を用いることは、先に取得したＳＡ−セルのシステム情報がもはや有効であることに高いリスクがある。従って、適切なＳＡ−セルとのデータ接続の迅速な確立を可能にするために、関連、かつ最新のＳＡ−セルシステム情報を端末に提供する必要がある。
【００１８】
別の問題は、実行状態の端末は、すべてのデータ接続を終了した後に待機モードを再開したとき、端末はＬＡ−セル上でキャンプオンし直す必要があるという事実から生じる。この目的のために、端末が、１つまたは複数の候補のＬＡ−セルから、例えば、セルＩＤ、フレーム時間、セル帯域幅、チャネルページングなどのような関連システム情報を取得する必要があるかもしれない間、端末は、セルサーチおよび／またはセル再選択手順を実行する。エネルギー効率のセルラ無線ネットワークという状況では、動的で無くとも良いＬＡ−セル構造、それからＳＡ−セル構造が、以前に取得したＬＡ−セルシステム情報（例えば、以前にデータ接続を確立し、取得したＬＡ−セルシステム情報）を用いることは、以前に取得し、格納したＬＡ−セルシステム情報がもはや有効ではないというリスクを負う。これは、例えば、ＬＡ−セルシステム情報は、平均時間、又はＬＡ−セルシステム情報がもはや関連しない例に変更されたから、例えば、以前に取得し、格納した情報を持たない別のＬＡ−セルのカバーエリアに移動したから、というケースであってよい。関連した、且つ、最新のＬＡ−セルシステム情報を取得するために、端末は、電源投入時のセルサーチ手順と同様に、再度セル探索手順を実行することができる。このように、端末が再びキャンプオンに適したＬＡ−セルを発見し、そのＬＡ−セルのページングチャネルを監視することができるようになるまでは、時間がかかってもよい。その結果、端末が、実行モード後に待機モードを再開した時には、迅速に、適切なＬＡ−セル（以前データ接続を確立して、キャンプオンしたＬＡ−セルの１つであるセルと、同一又は別のセルであってもよい。）上に再キャンプオンするため、端末に、関連する最新のＬＡ−セルシステム情報を伴った提供の必要もある。
【００１９】
上記に示すように、当技術分野で必要なことは、従来のネットワークシステム情報をよりエネルギー効率的な方法で配信するための方法およびシステムである。加えて、当技術分野、例えばＢＣＧ２ネットワークのようなエネルギー効率のセルラ無線ネットワーク内でのＬＡ−セルシステム情報とＳＡ−セルシステム情報を配信するための方法とシステムで必要とされていることは、上記で説明した問題を解決することができることである。そして、好ましくは、通信資源の効率、エネルギー効率、端末上でのハードウェアやコンピュータ資源の制限要件を課すことである。
【発明の概要】
【課題を解決するための手段】
【００２０】
本発明の一態様によれば、データ接続を確立するために実行モードの端末で構成される、少なくともＳＡ−セルと、待機モードでキャンプオンするように構成されるＬＡ−セルとからなる無線アクセス通信ネットワークシステム内で、少なくともＬＡ−セルシステム情報とＳＡ−セルシステム情報を端末が、取得するための方法が開示されている。その方法は、端末が実行モードで、ＳＡ−セル通信インターフェースを有効になった時、端末はＳＡ−セルの第１のシステム情報と、ＬＡ−セルの第１のシステム情報とを、ＳＡ−セル通信インターフェースを介してＳＡ−セルから受信する方法を含んでいる。
【００２１】
この解決手段は、少なくともＬＡ−セルの一部とみなされるＬＡ−セルシステム情報と同様に、ＳＡ−セルは、ＳＡ−セルのカバーエリア内での端末におそらく関連するＳＡ−セルシステム情報を送信するために使用しても良いという考えに基づいている。別の一形態では、ＳＡ−セルは、個々の端末に少なくともシステム情報の一部を送信するための実行端末を伴い、１つ又は複数の専用チャネルを使用するように構成されてもよい一方で、ＳＡ−セルは、端末に関する全てのシステム情報を送信するために、データ通信／共通チャネルの使用に構成してもよい。
【００２２】
実施形態の方法はさらに、少なくとも部分的に受信したＳＡ−セルシステム情報および／またはＬＡ−セルシステム情報に基づく、１つ又は複数の設定を構成する端末を含んでよい。追加的又は代替的に、端末は、将来の使用のために、受信されたＳＡ−セルシステム情報および／またはＬＡ−セルシステム情報の少なくとも一部を格納してもよい。さらなる実施形態では、待機モードのままであり続けようとする待機状態の端末は、ちょうど、ＳＡ−セルシステム情報が後で使用できるように格納されるに対して、受信したものだけを適用し、おそらく、設定を構成するためのＬＡ−セルシステム情報だけを格納するようである。端末は、実行モードに入ろうとしているときだけ、受信しようとし、おそらく、接続および／または接続される端末の特定のＳＡ−セルに関する設定を構成するＳＡ−セルシステム情報を格納しようとする。
【００２３】
本明細書で使用の表現「端末に対してのセルによる送信情報」、「端末に対する情報」とその変形は、例えば、有益ある端末となるために、端末に対して意図されたシステム情報として記載している。例えば、いくつかのシステム情報は、待機モードの端末のために主に意図されても、実行モードの端末のために主に意図されても、そのモードに関わらず、意図されてもよい。この点において、セルによって送信されるシステム情報が実際に受信され、および／または、実際に端末によって使用されているか否かは関係がない。例えば、セルは、システム情報を受信するために、セルのカバーエリア内での全ての端末で有効なデータ通信チャネルを介して、そのシステム情報を送信する。しかし、現実には、これらの端末の一部だけが、送信されるシステム情報に関心を持っていて、他はそうでないものがあります。また、すべてではないが、おそらく、送信されるシステム情報に関心を持つ一部の端末だけが、実際にそれを受信し、他は、（例えば、送信エラー、端末が他のタスクを実行しているなどの理由から）見逃し、さらに、その他は、例えば、送信されたシステム情報を以前に取得していることから、簡単に、おそらく意図的に送信を無視する。
【００２４】
本発明の実施形態の文脈において、表現「ＬＡ−セル」と「ＳＡ−セル」は、２つの異なる種類のセルを区別するために使用される。 
【００２５】
セルの第１のタイプは、ＬＡ−セル（大エリアセル）は、セルの第２のタイプと比較して、より小さなビットレートでより広い領域をカバーすることができるセルを指す。ＬＡ−セルは、主に、端末から端末に信号メッセージを搬送することを意図し、例えば、少なくとも端末を呼び出すことができるように意図されている。さらに、待機モードの端末は、これらのＬＡ−セルの少なくとも一つに「キャンプオン」するために用いられて良い。ＬＡ−セルは、主に、端末から端末への伝送に用いられることを意図していない一方で、それ以外の信号、ページング、又は、ＬＡ−セルを介して行われるユーザデータの伝送をも排除していない。無線アクセスネットワークの意図されたカバーエリア内において、少なくとも１つのＬＡ−セルが完全動作しているか、言い換えれば、ＬＡ−セルが「常時オン」にある状態で、用いられて良い。
【００２６】
セルの第２のタイプは、ＳＡ−セル（小エリアセル）、ＬＡ−セルと比較して、より高いビットレートでより小さなエリアをカバーすることができるセルを指す。ＳＡ−セルは、主に、データ接続を確立した端末から端末へのユーザデータの伝送（すなわち、ＳＡ−セルは、主に、実行状態の端末との接続を処理すること）を意図している。しかし、それはまた、他の何らかの情報、および／またはＳＡ−セルを介した一部の信号の伝送を排除していない。無線アクセスネットワークの意図されたカバーエリア内において、少なくとも１つのＳＡ−セルが、カバーエリアを提供できることについて用いても良い。ＳＡ−セルは、必要な範囲にある時、完全動作するだけである。言い換えれば、「常時オフ」状態にある。
【００２７】
本発明の様々な実施形態によれば、ＳＡ−セルは、周波数帯域および／または無線アクセス技術（ＲＡＴ）の任意の組合せで生じて良い。別のサイズのＳＡ−セル（例えば、階層的な構造の有無に関わらず、例えば、マクロ、ミクロ、ピコおよびフェムトＳＡ−セル）で、より大きなＳＡ−セルは、高モバイル端末で提供しても良いし、排除するものでもない。
【００２８】
本明細書で使用される表現「端末とＳＡ−セルとの間のデータ接続」は、端末とＳＡ−セル間のユーザデータ交換のための無線通信経路を意味する。端末とＳＡ−セルとの区間を含むユーザデータに関する通信経路は、通常は、パラメータの設定に応じて設定され、例えば、交換されることが必要なユーザデータ（例えば、送信／受信メール、音声またはビデオ通話など）の種類によって決まる。当技術分野において一般に、「ＱｏＳパラメータ」又は、「ＱｏＳプロファイル」として言及されている、パラメータの設定は、例えば、最大ビットレート、保証（最小）ビットレート、ビット誤り率、遅延／待ち時間などのパラメータを含んでも良い。
【００２９】
対照的に、端末とＬＡ−セル間の信号メッセージの交換は、ユーザデータを含まれず、通信システム内において、例えば、端末と様々なエンティティ間で交換される。信号メッセージは、データ接続を確立することなく、又は、適度なビットレートを有し、ほとんど欠損することなく到着した十分な品質の信号情報を伴う、「信号接続」介して、交換されて良い。使用時の信号接続では、「データ接続」における独立パラメータが大部分を占めており、これと関連付けても良い。
【００３０】
さらに、用語「ユーザデータ」と「ユーザ端末」は、必ずしも、人の介入を必要としなく、本発明の実施形態では、例えば、スマートフォンの人の介入なしでの電子メールチェック、マシン・ツー・マシン（Ｍ２Ｍ）通信および／またはマシン型通信（ＭＴＣ）に関して適用されて良いことが理解される。用語「ユーザデータ」は、データ接続した上で交換される実データと信号を介しての交換とを、単に、区別するために使用される。
【００３１】
本明細書に記載されるように、端末は、「実行モード」或いは「待機モード」のいずれかであってよい。本明細書で使用される表現「待機モードの端末」は、ユーザデータを交換しないし、交換することもできない端末の場合であっても、ＬＡ−セルをキャンプオンし、ＬＡ−セルからの端末に対するページングの監視を可能にしている端末のことを指している。言い換えれば、表現「待機モードの端末」は、端末とＳＡ−セル間のユーザデータの無線交換をサポートしていない端末を記述するために使用される。対照的に、表現「実行モードの端末」は、ユーザデータを交換するか、或いは、少なくとも一つのＳＡ−セルを介してユーザデータを交換することができる端末を指している。言い換えれば、実行状態の端末はサポートするか、又は端末とＳＡ−セルとの間のユーザデータの無線交換をサポートすることができる。待機モードと実行モードのこれらの概念は、標準化された従来のネットワークのような概念に匹敵するかもしれないが、必ずしも標準化された定義と正確には一致しない。
【００３２】
一実施形態においては、本方法は、端末が実行モードであり、端末のＳＡ−セル無線インターフェースが有効になっている場合、端末は、ＳＡ−セル無線インターフェースを介して、少なくともＳＡ−セルの第２のシステム情報に関する部分と、および／または無線通信ネットワーク内の１つ又は複数のＳＡ−セル関するＳＡ−セルシステム情報の一部について受信することを、さらに、含んでいる。このような実施形態は、都合よく、隣接するＳＡ−セルに関するシステム情報を端末に提供する。一実施形態では、端末がデータ接続を確立したＳＡ−セル自身よりも、それ以外のＳＡ−セルを介したシステム情報に関しては、端末がデータ接続したＳＡ−セルに関する情報を端末に供給することができる。それは、本実施形態は、特に、端末がそれらのセルとのデータ接続を有することなく、他のＳＡ−セルに関するシステム情報を取得することができ、それらのＳＡ−セルの１つ、又は複数が非実行の状態にさえあるため、エネルギー効率に良いネットワークである。実施形態に関しては、他のＳＡ−セルの各々は、端末に独自にシステム情報を提供しても良いし、端末がそのＳＡ−セル無線インターフェースを介して別のＳＡ−セルからシステム情報を受信してもよい。
【００３３】
実施形態の方法は、さらに、端末が待機モードで、端末のＬＡ−セル無線インターフェースを有効になっている場合、端末は、少なくともＬＡ−セルの第２のシステム情報の部分を受信することを含んでいる。ＳＡ−セルは、待機状態の端末をサポートするため、おそらくＳＡ−セルカバーエリア内の端末に関連のＬＡ−セルの少なくとも一部に関するＬＡ−セルシステム情報と同様、ＳＡ−セルシステム情報の送信に使用されても良いけれども、依然として、ＬＡ−セルによる送信が必要かもしれない。さらなる実施形態では、この方法は、さらに、端末が待機モードで、端末のＬＡ−セル無線インターフェースが有効になっている場合、端末は、少なくとも、ＳＡ−セルの第２のシステム情報の部分について、ＬＡ−セル無線インターフェースを介したＬＡ−セルから受信することを含んでいる。
【００３４】
実施形態では、この方法は、さらに、端末が実行モードで、端末のＳＡ−セル無線インターフェースが有効になっている場合、端末は、無線通信ネットワーク内の少なくとも、１つ、又は複数の他のＬＡ−セルに関するＬＡ−セルシステム情報の部分について、ＳＡ−セル無線インターフェースを介したＳＡ−セルから受信することを含んでいる。このように、実行モードでの端末は、以前にキャンプオンしたＬＡ−セルに関するシステム情報だけでなく、他のＬＡ−セルに関連するシステム情報に関しても取得してもよい。
【００３５】
実施形態では、方法はさらに、ＬＡ−セル無線インターフェースが有効になっているとき、ＳＡ−セル無線インターフェースを無効にし、ＳＡ−セル無線インターフェースが有効になっているとき、ＬＡ−セル無線インターフェースを無効にすることを含んでいる。 
【００３６】
本発明の別の態様によれば、本明細書に記載される方法で使用をするＳＡ−セルが開示されている。ＳＡ−セルは、少なくとも、ＬＡ−セルの第１のシステム情報をＬＡ−セルから、および／または無線通信ネットワークにおけるネットワーク管理部から取得するため、そして、少なくとも、ＬＡ−セルの第１のシステム情報の部分と、少なくとも、ＳＡ−セルの第１のシステム情報の部分とを送信するため、構成される。実施形態では、ＳＡ−セルは、他のセルから直接、および／または無線アクセス通信ネットワークのネットワーク管理部から取得することができる他のＳＡ−セル又は他のＬＡ−セルに関するシステム情報を取得し、送信するために構成されてもよい。
【００３７】
実施形態では、ＬＡ−セルの第１のシステム情報の部分および／またはＳＡ−セルの第１のシステム情報の部分は、第２期間に近接する第１の期間とＬＡ−セルシステム情報とＳＡ−セルのシステム情報の部分が送信されない期間は、繰り返し、送信されてもよい。さらに、実施形態では、第２の期間は、第１の期間と少なくとも同じ長さであってよい。
【００３８】
実施形態では、ＬＡ−セルの第１のシステム情報の少なくとも一部および／またはＳＡ−セルの第１のシステム情報の少なくとも一部は、端末、ＬＡ−セル、さらに、無線通信ネットワークのノード、又は、ネットワーク管理部から制動を受信したＳＡ−セルに対して、送信されても良い。さらなる実施形態では、ＬＡ−セルの第１のシステム情報の少なくとも一部および／またはＳＡ−セルの第１のシステム情報の少なくとも一部は、所定の遅延期間の満了後に、制動の受信に従って送信してもよい。
【００３９】
また、上述の解決策のために、ＳＡ−セルは、少なくとも１つのＬＡ−セルに関するシステム情報と、少なくともＳＡ−セル自身に関するシステム情報の送信と同様の、おそらくは、より多くの複数のＬＡ−セルに関するシステム情報の送信を、期待して良い。それは、ＳＡ−セルは、例えば、そのＳＡ−セルに隣接の全てに関する、いくつかの他のＳＡ−セルのシステム情報を送信することも可能でもある。このような場合には、システム情報の多くは、複数のＳＡ−セルについて、又は、少なくともＳＡ−セルグループの画分に対して同一であることを、期待してよい。同じシステム情報の一部が、異なるセル間で重複しないような方法により、ＳＡ−セルは、端末にシステム情報を送信するため構成されて良いというこの状況は、伝送の非常に効率的な方法のため適しているもちろん、情報は依然として、端末がセルに関するシステム情報を識別できるような方法で送信される必要があるが、当業者は、種々の方法を容易に想到できると保証し、本発明の範囲内にある全てをサポートとする。
【００４０】
本発明の別の態様によれば、ＬＡ−セルの使用例が、本明細書で開示されている。ＬＡ−セルは、端末に対する送信のための無線通信ネットワーク内での複数のＳＡ−セルの１つに、少なくともＬＡ−セルの第１のシステム情報の部分を提供するために、構成されている。
【００４１】
本発明の別の態様によれば、端末、種々の機能を実行するためのコンピュータプログラムの一部（おそらく分散型）、そのようなソフトウェアの一部のためのデータ伝送、及び電気通信システムが開示されている。本明細書に記載されるように、電気通信システムには、２又はそれ以上の端末、ＬＡ−セル、及びＳＡ−セルを含んでもよい。
【００４２】
以下、本発明の実施形態をさらに詳細に説明する。これらの実施形態は、本発明の保護の範囲を制限するものとして解釈されるものでないことが理解される。
【図面の簡単な説明】
【００４３】
【図１】従来のネットワークにおけるシステム情報分布の概略図である。
【図２】従来技術によるシステム情報の連続送信の概略図である。
【図３】エネルギー効率の高いセルラ無線アクセス通信ネットワークにおけるＳＡ−セル、ＬＡ−セルの概略図である。
【図４】本発明の一実施形態による、システム情報の断続的な周期的な送信の概略図である。
【図５】本発明の様々な実施形態による、システム情報の制動された送信の概略図である。
【図６】本発明の実施形態によれば、エネルギー効率の高い通信システムの概略図である。
【図７】本発明の一実施形態によれば、ＬＡ−セルと通信ネットワーク内における複数のＳＡ−セルのカバーエリアの概略図である。
【図８】本発明の一実施形態による、ＳＡ−セル無線通信インターフェースと時間多重化モードで代替的に有効になった端末のＬＡ−セル無線通信インターフェースの概略図である。
【図９】本発明の一実施形態によれば、端末にＳＡ−セルシステム情報と、ＬＡ−セルシステム情報の提供をするＳＡ−セルとＬＡ−セルの概略図である。
【図１０】本発明の一実施形態によれば、１つ、又は複数のＳＡ−セルに関するシステム情報の取得と、１つ、又は複数のＬＡ−セルに関するシステム情報のシステム情報の取得する方法について４段階のステップからなるフロー図である。
【図１１】本発明の一実施形態によれば、端末にＬＡセルシステム情報と、ＳＡ−セルのシステム情報の両方を提供するＬＡ−セルの概略図である。
【図１２】本発明の別の実施形態によれば、端末にＬＡ−セルシステム情報と、ＳＡ−セルのシステム情報の両方を提供するＬＡ−セルの概略図である。
【図１３】本発明の一実施形態によれば、端末にＳＡ−セルシステム情報と、ＬＡ−セルシステム情報の両方を提供するＳＡ−セルの概略図である。及び、
【図１４】本発明の別の実施形態によれば、端末にＳＡ−セルシステム情報と、ＬＡ−セルシステム情報の両方を提供するＳＡ−セルの概略図である。
【発明を実施するための形態】
【００４４】
実施例１−４は、下記のシステム情報を配信するための種々の方法およびシステムを提供する。実施例１は、図１に示すように、従来のネットワークを参照して説明する一方で、実施例２−４は、具体的にエネルギー効率の良いネットワーク内で、システム情報の分割配信に適合されるものとして説明されている。しかしながら、当業者であれば、従来のネットワークでのセルによるシステム情報の配信に関する、実施例１にて提供されるようなエネルギー効率の良いネットワーク内でのＳＡ−セルやＬＡ−セルによるシステム情報の配信に適用可能である技術は理解するであろう。
【００４５】
（実施例１）
実施例１は、本発明の様々な実施形態によるシステム情報の配信 
実施例１は、主にセルによってシステム情報を配信する（エネルギー効率を含む）効率を改善させる可能性に焦点を当てようとしている。上述したように、実施例１は、図１に示したような従来のネットワークを参照して説明できるが、いくつかのセルが、システム情報を配信するのに適用されることができ、例えば、送信基地局、ノードＢ又は改良ノードＢのような従来のセルだけでなく、効率の良いネットワークにおけるＳＡ−セルおよび／またはＬＡ−セルにも適用することができる。
【００４６】
実施例１は、セルによってシステム情報の分割配信のエネルギー効率を改善させる５つの異なる方法を提供している。第１の方法は、従来技術のように、大体いつも通りの連続した送信をするより、分割した時間毎に、システム情報を伝送し、依然として、分割した時間毎のまま、いかなるシステム情報も送信せず（又は、十分なシステム情報の送信を行わない）ことに基づいている。第２の方法は、特定のイベントによって制動の指示があるとき、システム情報を伝送することに基づいている。第３の方法は、確実に遠くに到達する通常のフルパワーで伝送するより、伝送経路の損失、セルのカバーエリアの外縁の点から、低減した電力でシステム情報を送信することに基づいている。第４の方法は、システム情報部分のいつも通りの周期的な伝送に使用するより、低減し、細分化したシステム情報のみを送信することに基づいている。第５の方法は、通常の伝送チャネルを使用して、おそらくセルのカバーエリア内に存在するかもしれない全ての端末にシステム情報を送信するより、専用チャネルを介して、特定の端末だけにシステム情報を送信することに基づいている。これらの５つの異なる方法についてより詳細に説明する。
【００４７】
１．（分割した時間毎だけのための）周期的なシステム情報の伝送
システム情報のより効率的なエネルギー配信を達成するための最初の方法は、周期的に、すなわち、分割した時間の間だけに、システム情報を送信する、例えば、図１に示されるセル１のようなセルに関するものである。例えば、セルは、任意のシステム情報を送信しない９００ミリ秒に続いて、１／１０に相当する１００ミリ秒（ＭＳ）の間に、システム情報信号を送信するように構成されてもよい。そのために、セルは、送信用の信号を準備するために、少なくとも送信機および／またはコントローラを含んでもよい。セルは、コントローラに係るコンピュータプログラムを格納するためのメモリと、又は、ＣＰＵがデータ処理し、プログラム上でプログラムが動作するのと同様に、処理する構成からなる送信機を、更に含んでもよい。
【００４８】
システム情報信号の送信の持続時間は、セルのシステム情報のフルサイクル、又はシステム情報の特定部分に対応してもよい。図４は、送信ブロックＭ、Ｓ１、Ｓ２、Ｓ３、及びＳ４を含むセルのシステム情報１０ａのフルサイクルにおいて、持続時間ｔ１と、システム情報１０ｂの送信されないｔ１に隣接する持続時間ｔ２との期間に、信号１０が送信されることを概略的に示している。セルは、次いで、繰り返し信号１０を送信し、このように、持続時間ｔ１と、システム情報１０ｂの送信されないｔ１に隣接する持続時間ｔ２との期間に、繰り返し、１０ａに相当するシステム情報ブロックＭ、Ｓ１−Ｓ４を送信することは、信号１１で示される。システム情報ブロックＳ３とＳ４の代わりに、ブロックＳ５とＳ６が存在する場合を、信号１２に示すように、いくつかのシステム情報の部分は、他の部分によって置換されてもよい。
【００４９】
システム情報信号の送信の持続時間は、例えば、システム情報の一部のみ（又は、システム情報部分）サイクルに対応するよう短くてもよい。図４の信号１３が示すように、フルサイクルのシステム情報又はシステム情報の一部の伝送は、システム情報信号を送信、そして、送信していない複数の期間にわたって分散されてもよく、端末への時間増加分は、システム情報の実質的に連続的な送信の場合と比較して、全システム情報（又はシステム情報の一部）を取得する必要があるかもしれない。
【００５０】
システム情報信号の送信の継続時間は、システム情報又はシステム情報の一部の全サイクルよりも長くてもよい。例えば、これは、システム情報又はシステム情報の一部の周期の倍に相当する期間であってもよい。別の例では、これは、単一セルの、フルサイクルのシステム情報、又はシステム情報の一部に相当する持続時間に加え、例えば、繰り返し送信する情報が、システム情報又はシステム情報の一部における他の情報よりも、セルはより重要であると考え、又は、より緊急であると見積もる拡張を許可するケースのため、従って、より確実に送信することが望まれる。それは、システム情報要素の受信に失敗し、或いは、端末が検出し、又はそれが疑義ある検出、すなわち、誤ったシステム情報要素を受信し、システム情報を送信した同じ期間内で、端末が付加期間を取得すること、或いは、繰り返しシステム情報要素を再確認することが可能な方法で、システム情報を送信する場合である。
【００５１】
サイクル効率（すなわち、システム情報又はシステム情報の一部信号を送信するための、「オン」及び「オン」と「オフ」時間の間の比率）の変更する、この方法では、システム情報の送信時間が実質１００％の従来のアプローチとは対照的に、おおよそ同じ分割時間毎の送信信号の放出電力を低減することが認められる。一実施形態では、周期的なシステム情報、又は、システム情報の一部信号の最大サイクル効率は、セルによって、例えば、１／２、或いは１／８放出されると、連続的に放出された同一信号と比較して、各々、２倍、８倍の省電力化の結果につながる可能性がある。別のサイクル効率では、例えば、端末が、情報を必要とする（推定、又は予期される）緊急を要することによれば、別のシステム情報部分の送信に適用されてよい。
【００５２】
次の例は、この説明であってもよい。現在のシステムでは、端末の電源がオンになると、端末は、キャンプオンする適切なセルを探索するためにセルサーチ手順を開始する。このような手順の一部として、端末は、１つ又は複数の候補セルを識別し、次いで、例えば、ネットワーク（公衆ランド通信ネットワーク）は、セルに関するセルＩＤおよび／またはセルの動作状態（例えば、現在、端末のアクセスが禁止されているか否か、および／またはオーバーロードの可能性があるか否か）のような、特定の候補セルについて、決定する必要があるかもしれない。従来技術のシステムにおいて一般的であるように、システム情報の、連続した、又は非常に頻繁な伝送は、このような端末のニーズに合わせてもよい。しかしながら、このような伝送は、仮に、特定の期間内に、未だ端末に電源が投入されていない、および／または特定セル上でセル探索手順を実行しない端末があれば、エネルギー効率的でない。本発明の一実施形態によれば、エネルギー効率は、例えば毎秒一回のみ、分割した時間毎にのみセルサーチ手順を実行する端末のための意図されたシステム情報部分を送信することによって改善される。特定のシステム情報の一部を受信しようとする端末は、実際に、それを受信できるようになるまでは、しばらくの間待機する必要があってもよい。この例では、最悪の場合には、待ち時間は１秒あろう、しかし、平均では、待ち時間は１／２秒であろう。なぜなら、待ち時間の考慮から、この伝送の上限には、待ち時間の上限を越えなく、或いは、予期しない待ち時間に耐えるような、システム情報部分の連続する送信の間、むしろ、時間に上限がある。上限送信は、例えば、他のシステム情報の部分の場合よりも、特定のシステム情報の部分の待ち時間が許容される場合には、別のシステム情報の部分に対して別の選択をしてもよい。セルの移譲パラメータを含むシステム情報の部分の上限送信は、例えば、新しいセルへの移譲を行う端末は、すぐに、そのセル移譲パラメータに関する情報を必要とすることはほとんどない一方で、そのＲＡＣＨを介して選択されたセルとの接触を開始する端末は、移譲ができるようになる前に、ＲＡＣＨパラメータを必要とする動機付けとなる、セルのＲＡＣＨ（ランダムアクセスチャネル）パラメータよりも高い選択をしてもよい。
【００５３】
実施形態では、システム情報の一部の連続した送信又は、その間の上限の期間は、時間の経過とともに変更されてもよい。例えば、人々が、午前中、自分の携帯電話を省電力に切り替えるような０．２５秒（ｓ）のピーク時間の間に、通常は電源オンの手順の実行に使用される端末のシステム情報の一部の上限送信のために選択されてもよい。日中に、ほとんどの端末の電源オンを期待できる場合には、例えば、１秒のような高い値が選択されてもよい。夜の間は、例えば、５秒のようなより高い値を選択され続けてもよい。このとき、端末が正常に耐え得るであろうものを越える高い値でさえも省エネ達成の観点から許容されるとみなすことができる。
【００５４】
特に、システム情報部分の周期的な送信が実行されたとき、例えば、１秒毎に、それが近隣セルとの送信が重複しないように、特定のシステム情報の部分のそれらの送信と同期させることが好ましい。例えば、システム情報の一部の送信を仮定すると、セルＡが、１．０、２．０、３．０、．．．、等秒でそのシステム情報を送信し、近隣セルＢが、１．１、２．１、３．１、．．．、等秒でそのシステム情報を送信し、また、近隣セルＣが、１．４、２．４、３．４、．．．、等秒でそのシステム情報を送信してもよく、１００ミリ秒未満かかると考えられる。そうすることで、各候補セルに対して分けて、平均、又は、最大待ち時間を要することなく、（セルＡ、Ｂ、Ｃのような）複数の候補セルをほぼ同時に、端末はセル探索手順を実行することが可能になります。例えば、上述の複数の図では、システム情報の一部の送信時間を「少しずつずらして並べて」の送信でないのに、約１秒の時間枠で受信できる最大１０セルのシステム情報の部分は、最悪の場合、１０秒程度（すなわち、１秒の１０倍の最悪のケースの遅延）又は、平均して５秒（すなわち、０．５秒の１０倍の平均遅延）の時間を要する可能性がある。具体的には、同じ公衆携帯電話網内、又は、協同する公衆携帯電話網に設定のセルは、そのアプローチから利益を得ることが期待できる。
【００５５】
２．いくつかのイベント、複数のイベント、又は、組み合わせによるイベントによって制動されるシステム情報の伝送 
端末がパワーアップし、特定のセル、ネットワークのシステム情報を取得する場合では、特にセルは、通常は、端末の必要性を認識していない。他の場合には、ネットワークおよび／またはセルが認識および／または予測してもよいし、或いは、端末の必要性を期待しおよび／または特定のシステム情報部分のための端末の必要性を認識してもよい。したがって、種々の実施形態は、システム情報の部分を伝送するための制動は、暗黙的、又は明示的な制動を含んでもよい。
【００５６】
システム情報の部分を送信するための暗黙的な制動 
例えば、端末が、セル（端末がキャンプオンされた通常のセル）、ネットワーク、およびデータ接続に巻き込まれた特定のセルを介して、データ接続を確立した場合、端末は、追加のシステム情報の部分を必要とするかもしれないことを期待してもよい。例えば、端末は、他のセルとの測定を行うための基準、そして、（例えば、端末が移動局の状況で「イベント」と呼ばれ、そのイベントは、サービスセルの信号レベルを前もって決めたしきい値以下に低下させ、および／または隣接セルの信号レベルが、前もって決めた許容範囲の正、又は負のいずれかである所定の許容範囲だけサービスセルの信号レベルを超過させる）報告をするための基準の指定するパラメータが必要になる場合がある。その場合、例えば、セルを介した手短なデータ接続の設定の後に、セルはこのシステム情報の部分を送信してもよい。そうすることで、このシステム情報の部分を繰り返し送信し続ける通常の場合に比べて、かなりのエネルギー節約をもたらすであろう。
【００５７】
さらなる態様において、セルは最初の制動が受信された短い時間（例えば、セルを介してデータ接続の設定が完了している）と、関連システム情報の部分（すなわち、おそらく端末によって必要とされるシステム情報の一部）の送信の間の遅延を、例えば１０秒、適用してもよい。遅延期間内では、（その各々が、制動として解釈されてもよい）同じセルを介してデータ接続を確立した他の端末も、このように同じ情報を複数回送信することからセルを軽減し、同一のシステム情報の一部を受信することができる。
【００５８】
好ましくは、遅延値は、一般に、例えば１５秒のような、端末に許容範囲とみなされる最大待ち時間に相当する、前もって決めた所定のしきい値を超えるべきではない。このように、複数の端末が遅延期間内にデータ接続の設定を確立するときには、システム情報部分の単一の送信は、これらの端末に通知すれば十分である。
【００５９】
当業者は、例えばピーク時のような遅延時間内に期待できる場合の、いくつかのシステム情報の一部（例えば、１つ以上の追加のデータ接続の設定）に関連する他の制動のときに限り、有益であることを認識するであろう。しかしながら、制動（例えば、データ接続の設定）の速度が低い、例えば１データ接続の設定当たりの遅延時間以下の場合には、遅延は、好ましくは、小さい値、又はゼロに設定される。
【００６０】
以下でより詳細に説明するように、制動されたシステム情報部分の遅延伝送は、低電力伝送のオプションと組み合わされてもよい。次に、低減された電力設定は、経路損失、特定の遅延期間内にデータ接続の設定を完了した端末グループ内の端末の観点から、最も遠距離で一致しなければならない。
【００６１】
別の例は、セルは、複数のＲＡＣＨチャネルで構成され、ある一般的なＲＡＣＨチャネル（すなわち、所定のＲＡＣＨチャネルで構成されるネットワーク内の全てのセル、又は、少なくともエリア内の複数のセル）の１つ、又は複数のＲＡＣＨチャネル毎にセルが構成されている。次に、（まだ）特定のセルのためのＲＡＣＨチャネル構成を受信していない端末は、そのセルの一般的なＲＡＣＨチャネルを介して、その最初の要求を指示してもよい。その要求は、セルによって処理されても、又は、システム構成やセルの負荷に応じて、廃棄されてもよい。ＲＡＣＨチャネルに特有のＲＡＣＨ要求を受信したセルは、そのＲＡＣＨチャネルの設定に関連するシステム情報部分を送信するための制動として、このようなイベントを考慮してもよいし、要求を送信した端末からの後続の要求のように、セル当たりに構成されたＲＡＣＨチャンネルに送信されてもよい。これは、要求を送信した特定の端末に適用されるだけでなく、（まだ）そのような要求を発行していないセル内の他の端末は、この特定の端末のＲＡＣＨ要求の結果として送信されるセルのＲＡＣＨ構成システム情報の一部を受信されてもよい。
【００６２】
なお、この場合、上述のような遅延を適用することから有意な利益はないかもしれないし、また、省電力オプションを適用することから有意な利益がない場合があることに留意されてもよい。実質的にフルパワーでＲＡＣＨ構成の遅延のない伝送は、その後、単一の伝送では、セルのシステム情報チャネルに、複数の端末の監視を果たすことができる。省電力オプションを適用すると、例えば、ピーク時における省電力オプションを適用せず、オフピーク時に省電力オプションを適用するように、そのカバーエリア内の端末の推定又は予測される数に依存してもよい。
【００６３】
システム情報の一部を送信するための明示的な制動 
本発明の一実施形態によれば、いくつかの特定のシステム情報の部分の必要性を自身で見つける端末は、セルに向かって、システム情報部分の要求を発行してもよい。このような要求は、従来のネットワーク内に見つからないと、特別の目的のために設計要求されてもよい。このような要求は、例えば、ＲＡＣＨ要求に類似するよう、実装されてもよい。さらなる実施形態では、システム情報部分の要求は、端末がどのシステム情報の部分、又は、場合によっては、端末が要求する複数のシステム情報のどの部分かを都合よく、指定することを許可するだろう。要求する端末によって、おそらく他の端末によっても受信され、追加端末がセルのシステム情報チャネルを監視する、そのような明示的な要求の受信に応答して、セルは、要求されたシステム情報部分を送信するように構成されてもよい。
【００６４】
実施形態では、セルはまた、暗黙のさらなる要求として明示的要求を解釈し、明示的な要求で指定されていない追加のシステム情報部分を送信してもよい。通常および／またはその次に要求される、このような追加のシステム情報部分を、例えば、セルが、経験に基づいて期待している場合、これは、一例であってもよい。明示的なシステム情報部分の要求は、複数のシステム情報部分が要求されることを認めない場合、このような実施形態は特に有利である。
【００６５】
この場合、上述のような遅延を適用することから有益は無いかもしれないし、また、省電力オプションを適用することから有益が無いケースがあることに留意されたい。遅延なしで、実質的にフルパワーの要求されたシステム情報の一部、又は、複数部分の送信が、次いで、セルのシステム情報チャネルにより、単一の送信と、複数の端末の監視を提供されてもよい。省電力オプションを適用すると、例えば、セルは、オフピーク時に省電力オプションを適用するように設定し、ピーク時における省電力オプションを適用しないことができ、そのサービスエリア内の端末の推定、又は予測される数に依存してもよい。
【００６６】
図５に、暗黙的、又は明示的に、制動に応じて、システム情報を伝送する概念を示した例示的な図を提供する。セルは、図５に示した信号２０は、例えば、繰り返し信号を送信するように構成されてもよいし、図４に示されたこれらのブロックと同様に、Ｍ、Ｓ１、およびＳ２を含むシステム情報ブロックは、まだシステム情報が送信されないｔ２時間に続いてもよい。図５には、信号２１を伴う信号２０の繰り返し送信について示す。加えて、上述したように、システム情報ブロックＳ３を送信するために、暗黙的、又は明示的な制動として、セルは、制動を受信されてもよいし、また、制動に応じて、（少なくとも）要求された端末によって、受信したブロックＳ３を送信されてもよい。これは、システム情報Ｓ３のための、信号２２を伴う２つの異なる制動が発生したことを最初の制動として「ｔｒ（Ｓ３）−１」と第２の制動として「ｔｒ（Ｓ３）−２」で、図５に概略的に示している。また、セルは、要求された情報を送信する前に、制動の受信後に、前もって決めた所定の遅延時間ＴＤを適用するように構成されてもよい。これは、最初の制動が発生した後に適用され、遅延期間ＴＤを伴う信号２３を「ｔｒ（Ｓ３）−１」として、図５に示している。図５に示すように、その後、遅延時間ＴＤの間、システム情報ブロックＳ３の３つの他の制動は、セルによって受信されるが、セルが既に、遅延期間ＴＤの満了時にシステム情報ブロックＳ３を送信することを計画しているように、セルは、これらの制動を実行する必要はない。図５は、遅延期間ＴＤが満了したときＳ３が送信されることを示している。その後、システム情報ブロックＳ３のための別の制動は、第５の制動「ｔｒ（Ｓ３）−５」として示されるように、受信されてもよい。セルを再び要求されたブロックＳ３（図５には示されていない、要求されたブロックＳ３の第２の送信）送信する前に、前もって決めた所定の遅延時間ＴＤを適用するように構成されてもよい。
【００６７】
３．低電力でのシステム情報の送信 
セルから送信される通信信号の送信電力は、通常は、経路損失の観点から、最も遠くにある端末は、セルの縁でも、通信された情報を最も信頼できるものとして確実に受信することができるように選択される。本発明の一実施形態によれば、エネルギーを節約するために、経路損失の観点から、最も遠いセルの端におけるよりも、システム情報部分が意図して離れが小さくなるよう、セルが、システムの端末（複数）を推定する際に、セルは、例えば、低電力で、いくつかのシステム情報、又はシステム情報部分（複数）を送信することを選択してもよい。特定の端末にセルからシステム情報部分を送信するために使用される電力は、例えば、セルによって使用される電力の設定から、専用チャネルを介して端末との通信のため、通常は、専用チャネルの端末による十分な受信から送信電力を制御する、セルのチャネルのタイプを推定してもよい。共通チャネルを介して端末にシステム情報の一部を送信するために、セルの共通チャネル上のシステム情報の送信確率を増加させることは、専用チャネルを介して端末に送信するためのより高い電力設定を適用することを選択してもよい。すなわち、ほとんどの場合、それらの（複数の）システム情報、又はその一部の再送信を必要としない一回の送信で、受信し、取得することができる。
【００６８】
専用のチャネルがセルと端末との間で確立されていない場合、セルは端末から受信したＲＡＣＨ要求から共通チャネルを介して、システム情報の伝送に適した送信電力を推定してもよい。このようなＲＡＣＨの要求は、ＲＡＣＨ要求を送信した端末の電力指示を含んでいてもよい。ＲＡＣＨ要求を受信した電力を測定するセルは、次いで、端末の送信電力と、セルの受信電力との差から得たＲＡＣＨ要求による経路損失を決定することができる。セルは、この情報と、アップリンクおよびダウンリンク方向の経路損失は、通常は、共通チャネルを介して端末にシステム情報を送信するための適切な送信電力を推定することと同じであるという事実を使用するよう構成されてもよい。
【００６９】
端末に、セルからシステム情報を送信するための適切な送信電力を推定する、さらに別の方法は、端末がセルから何らかの信号を受信した電力に基づいてもよい。このような測定は、例えば、文脈におけるセルの再選択および／または移譲による、端末によって決められてよい。移譲の文脈において、このような情報は、通常は、ネットワークに提供され、ネットワークは、おそらく別のセルを介して、端末にシステム情報を送信することが期待されるセルに、このように関連する情報の部分を提供してもよい。そうでなければ、端末は、セルに直接測定情報を提供してもよい。
【００７０】
セルが同時にそれらの複数の端末にシステム情報又は、その一部を送信する際に、電力の低減の適用は、これらの複数の端末間で端末の経路損失の観点から、最も遠い距離によって決定されてもよい。 
【００７１】
４．システム情報又はシステム情報の部分の分割区分け送信（例えば、信号のみ） 
端末が新しいセルに一つのセルからの移譲を行っているとき、例えば、端末が新たなセルの隣接リストについて通知する必要がある。通常は、各セルは、その隣接セルリストを送信する。しかしながら、古いセルと新しいセルが移譲を行う端末にフル隣接セルリストを送信することは、重複する情報が含まれるので、いくつかの隣接するセルをシェアしてもよい。本発明の一実施形態によれば、フル隣接セルリストを送信する代わりに、セル（新しいセル、又は旧セルのいずれか）は、２つのリストの間の唯一の違い、又は信号を送信するために十分かも知れない。新しいセルによって送信されたような信号は、例えば、古いセルＩＤ１１、ＩＤ１２、・・・などを削除するか、その新しいセルＩＤ２１、ＩＤ２２、・・・などを追加する必要があることを示す情報が含まれている可能性があります。複数の端末の信号リストは単一の送信で組み合わせてもよい。これは、例えば、端末の隣接セルリストに含まれていないセルＩＤを参照し、端末が削除命令を無視し、そして、端末の隣接セルリスト内にすでに存在するセルＩＤを参照し、追加命令を無視することによって、別の古いセルを起源として新しいセルに移譲するならば、行ってもよい。
【００７２】
新しいセルは、これらの移譲が行われた古いセルを監視するために、セルが考慮、又は最も再資源効率の高いことが推定されるシステム情報の送信戦略を選択するために、セルを対象とする移譲の速度を監視するように構成されてもよい。 
【００７３】
このアプローチは、かなり頻繁に、ネットワーク内の多くのセルにおいて同じ値を有する移譲パラメータ設定などのように、システムを介して配信された多くの他のパラメータに適用することもできる。例えば、移譲が古いセルから新しいセルに構成され、少なくともいくつかの特定のパラメータは、両方のセル（例えば、移譲の設定）が同じ値を有する場合、新しいセルは、これらの特定のパラメータをそのシステム情報に送信するのを差し控えてもよい。言い換えれば、これらの特定のパラメータ（パラメータ値）における旧セルと新しいセルとの間の差（信号）がゼロである。他の場合には、例えば、別の旧セルから新しいセルに移譲が行われ、新しいセル内のいくつかの特定のパラメータ（例えば、移譲の設定）は旧セルと異なる場合には、新たなセルは、少なくとも、これらの新しいセルに関連付けられたパラメータ（例えば、新しいパラメータの値によって、古いパラメータ値を置き換えるか、新しいパラメータを追加）を取得し、適用してもよいような端末に、そのシステム情報内で送信してもよい。
【００７４】
５．専用チャネルを介したシステム情報の送信 
システム情報を配信するエネルギー効率を改善するための第５の方法は、通常の伝送チャネルを使用して、システム情報、又はその一部をセルのカバーエリア内に存在する全ての端末にシステム情報を送信するよりも、専用チャネルを経由して、特定の端末だけに送信することを含んでいる。 
【００７５】
この解決手段では、適用されず、或いは、全てのシステム情報の部分、又は、全てのシステム情報要素に対して実用的ではないかもしれない。例えば、それは要求するために必要な、或いは、専用チャネルを設定されている特定のシステム情報の部分には適用されません。また、通常は、セルサーチに用いられるシステム情報の部分、又は、システム情報要素には実用的でなくてもよい。そして、システム情報の部分を受信する目的のためだけに、専用チャネルを設定することの追加の（エネルギー）のオーバーヘッドが（端末とネットワークの両方）、通信、或いは、共通チャネルを用いる代わりに、専用チャネルを使用することによって、達成される負荷よりも大きい負担であってもよい
【００７６】
しかしながら、通信、又は、共通チャネルを介したこのシステム情報の配信は、システム情報の送信の前に端末に利用できなかったときに、複数の端末がシステム情報、又は、システム情報の一部を受信している場合には、効率的であってもよい。例えば、単一のシステム情報の送信と同時に１０台の端末に通知することは、単一の端末に通知するよりも効率的である。しかしながら、このような送信のために、通常は高い送信電力は、意図した端末に、経路損失の点で、また最も遠くに到達することができると確信するために使用される。少数の端末が受信し、送信された情報を取得している場合、そのような送信のエネルギー効率は疑わしい。単一の端末が受信し、送信された情報を取得している場合、その情報は、エネルギー効率の悪い方法で提供されている。受信する端末が無く、このような送信された情報を取得している場合は、エネルギーが無駄になる。
【００７７】
また、マクロセルからミクロセル、ピコセル、またはフェムトセルのような小さなセルサイズの傾向では、複数の端末が通信、又は、共通チャネル上で送信される同一のシステム情報の部分の利益を受けることが少なくなりやすくなる。 
【００７８】
従って、本発明の一実施形態によれば、セルは、セルから特定の端末に専用チャネルを介して少なくともいくつかのシステム情報部分を送信するように構成されてもよい。専用チャネルは、通常は、電力制御されるので、専用チャネルを介した単一の端末へのデータの一定量の送信は、エネルギー効率が、より高くなるようである。また、専用チャネルは、通常は、いくつかのシステム情報の一部、又は、システム情報要素の誤った受信が迅速に、端末から要求された再送によって効率的に、訂正できるような、セルから端末への下り方向、及び端末からセルへの上り方向の両方向に動作する。加えて、セルを制動する端末に、非常によく合っている専用チャネルを使用することは、例えば、明示的な制動で、それらのシステム情報、又は、その一部を送信し、上述のように「差分のみ」、又は「信号」オプションの使用を含めた端末からの要求に応じて、システム情報の部分、又は、システム情報要素だけの送信を、実際に必要とする。
【００７９】
様々な実装形態では、上記の５つの省電力オプションの組み合わせの全てが
等しく適切に、また、他の人がより容易に組み合わせることができるものとして適用することができる。例えば、端末（上述のオプション５）へのシステム情報の伝送のための専用チャネルを使用することは、非常によく信号（上述のオプション４）のみの送信と共に組み合わされてよいし、および／または暗黙的および／または明示的な制動の信号（上記のオプション２）の送信と組み合わせてもよい。また、暗黙的および／または明示的な制動（上述のオプション２）に用いたものは、非常によく断続的な送信（上述のオプション１）と組み合わせて使用されてもよいし、特に、非常に低い繰り返し率（すなわち、ｔ１よりもはるかに大きいｔ２）で、システム情報の選択された部分と組み合わせて使用されてもよい。対照的に、断続的な送信（上述のオプション１）を使用し、端末にシステム情報の伝送のために専用チャネルの使用（上述のオプション５）は、あまり適用できないかもしれないし、省電力（上述のオプション３）と組み合わせることにより、既に専用チャネルの使用において暗示されてもよい。
【００８０】
システム情報の変更、又は再生（実証） 
システム情報の配信の特別な場合は、セル更新（すなわち、変更）の特定のシステム情報部分を含んでいる。変更されたシステム情報部分は、「以前の古い」システム情報を受信し、セルのカバーエリア内に残っている少なくともそれらの端末に配信されるべきである。これは、少なくとも一度変更されたシステム情報部分の通信で最も効率的に実行されてもよい。
【００８１】
システム情報の変更は、好ましくは、最も遠くの端末のための電力設定で、通信、又は、共通チャネルを介して、従来のシステムと同様に、最も効率的に実行されてもよい。システム情報の通知は、ＵＭＴＳ、又は、その後、隣接で連続的に監視する必要のあるＭＩＢのような、ページングチャネルを介して提供されてもよい。
【００８２】
システム情報変更の同じメカニズムは、各端末におけるシステム情報の有効時間の現在の通常のメカニズムに代えて適用されてもよい。本発明の一実施形態によれば、有効時間の端末の運転の代わりにセルがリフレッシュタイマを維持するように構成されてもよい。セルのリフレッシュタイマが満了した時、セルはシステム情報の変更と同様、例えば、リフレッシュをアナウンスするように構成され、少なくとも一度、システム情報のフル設定を通信することができ、現在のカバーエリア内の全ての端末が更新することができるように、又は、既存のシステム情報の部分を確認し、追加的に補完し、現在もシステム情報の部分が欠落して格納されてもよい。
【００８３】
実施例２−４：一般的なシステムの説明 
実施例２−４は、図６に示す通信システム３０で説明されている。図６に示すように、本発明の一実施形態によれば、好ましくは、セルラ無線アクセス通信システムの通信システム３０は、少なくともＬＡ−３２セル、ＳＡ−３３セルおよび３４を含んでいる。ユーザ端末３５を図６に示している。明確にするために、通信システムの一番の関連要素だけが、図６に示されている。図６には図示しない、他の要素は、存在してもよいし、本発明の範囲内であってもよい。このような「他の要素」とは、例えば、追加のＳＡセル、追加のＬＡ−セル、追加の端末、さらに、通信システムのさらなる要素、そして、通信システムで各セルおよび／または互いに接続する中継回線と同様に、例えば管理部のような別のネットワークノードを含んでもよい。
【００８４】
以下に、ＬＡ−セル３２、ＳＡセル−３３、３４、及び端末３５の各々の一般的な説明について提供する。これらの要素の各々の機能的な詳細な説明は、一般的な説明に続き、別の解決法の検討において提供する。
【００８５】
ＬＡ−セル３２は、少なくとも、当該技術分野で公知の従来方法で、ＬＡ−セル３２上で端末３５にキャンプオンするように構成し、端末３５を呼び出すことができるように構成されたＬＡ−セルである。本発明のいくつかの実施形態によれば、データ接続を示す端末３５からのサービス要求メッセージを受信するように構成されてもいるＬＡ−セル３２は、端末３５と、図６には図示されていない無線通信データ量（すなわち、ユーザデータの無線交換）をサポートするためＳＡ−セルの一つとの間で確立される必要がある。ＬＡ−セル３２は、主として、端末３５から端末３５へのユーザデータの無線通信ために使用されることを意図していないが、ページング、またはＬＡ−セル３２を介して通信される、フル、または一部の持続期間内のデータ接続（呼び出し）のため、例えば、低ビットレート（音声通話など）のトラフィックのための、いくつかのユーザデータトラフィックのような他の信号伝送を、妨げてはいない。
【００８６】
ＳＡ−セル３３および３４と比較して、ＬＡ−セル３２は、通常は、より小さなビットレートの大きな地理的エリアをカバーするように構成されている。待機状態の端末がＬＡ−セルにキャンプオンを選択する地理的エリアは、ＬＡ−セルのカバーエリアと呼ばれる。適切な規模のセルでは、そのエリア内の端末は、通常、正常にシステム情報と、ＬＡ−セルからの信号メッセージ（例えば、ページングメッセージ）を受信することができる。これは、当然、逆方向に適用することが想定され、すなわち、端末は、ＬＡ−セルにキャンプオンし、それがキャンプオンしているＬＡ−セルに信号メッセージ（例えば、サービス要求メッセージ）を送信するときには、ＬＡ−セルは、通常、メッセージを正常に受信することができる。無線通信ネットワークの意図されたカバーエリアにおいては、（図６、ＬＡ−セル３２）に少なくとも一つのフル動作又は「通常オン」状態のＬＡ−セルが想定されてもよく、そして、端末と信号メッセージの交換をサポートすることが可能であると想定されてもよい。最も単純な実施形態では、これはＬＡ−セル３２は、常にフル機能を発揮（「オン」）していることを意味してよい。他の実施形態では、ＬＡ−セル３２は、必ずしも常に「オン」状態ではないことを意味し、ＬＡ−セルに適した省電力オプションは、ＬＡ−セル３２に適用されてもよい。
【００８７】
端末３５は、例えば、ユーザが音声通話、又は、インターネットを閲覧する携帯電話など、実際、ユーザとなる人間によって操作する端末だけでなく、スマートフォンやデータ中心の端末（例えばラップトップ、又はタブレット）人間の介入なしに動作（例えば、電子メールの送信／受信）し、例えば、スマート電気メータ、カーナビ装置、又は監視カメラ装置のようなＭＴＣ（マシン型の通信）装置であってもよい。
【００８８】
端末３５は、実行モードまたは待機モードであってもよい。本明細書で使用されるように、端末３５とＳＡ−セル３３又は３４の間でユーザデータ又はトラフィックの無線交換のためのサポートを行わないことから、端末３５は、待機モードにあると言われている。本明細書で使用されるように、端末３５は、少なくともＳＡ−セル３３、３４の一つとデータを交換することが可能である場合には、実行モードにあると言われている。なお、待機モード及び実行モードのこれらの概念は、本明細書で使用する場合と、標準化された従来のネットワークの用語の意味の点で一致するかもしれない一方で、それらは必ずしもこのような標準化された定義と正確に一致しないことに留意すべきである。
【００８９】
さらに、端末３５は、省電力のオプション（すなわち、パワーセーブモード、または、端末の動作モードよりも、省電力モードでの消費電力が少ない動作モードにある）のいくつかの形式をサポートしていてもよい。待機モードと実行モードとの間の区別がＳＡ−セルとのユーザデータの無線データ交換のサポートの存在に基づいている一方で、省電力モードと動作モードとの間の区別は、端末によって消費される電力量に基づいているので、端末は、例えば、動作モードにあるが、まだ待機状態の端末（または動作モードの端末が実行モードにあってもよい）であってもよい。同様に、省電力モードの端末は、端末がＳＡ−セルの少なくとも一つと、ユーザデータの無線交換をサポートするかどうかに応じて、実行または待機状態のいずれかであり得る。しかしながら、最も一般的なことは、省電力モードでの、「起動」（すなわち、省電力モードを終了し、動作モードに入る）待機状態の端末が「実行」（そして動作中）になった後で、少なくとも１つのＳＡ−セルとのデータ接続の確立を容易にするために、特定のアクションを実行するような状況になることだろう。本発明の実施形態の扱いは、システム情報の配信を伴った端末に関連することから、以下の説明では、主に、端末の待機モードと実行モードとの間で行われる配信について述べる。
【００９０】
待機モードの端末３５は、従来の方法で実現することも可能な、少なくともＬＡ−セル３２上に「キャンプオン」することを想定されてもよい。例えば、ＬＡ−セルは、パイロット信号、または端末３５が受信可能なビーコン信号を、その後にキャンプオンするＬＡ−セルを選択または再選択するために、受信信号に含まれる情報を使用して、通信してもよい。図６では、ＬＡ−セル３２によって送信された信号、および端末３５によって受信された信号は、ＬＡ−セル３２から端末３５への実線の矢印として示されている。実施形態において、端末３５は、ロケーション／ルーティングエリアの変更について、ＬＡ−セル３２の図６に図示のないページング機能を容易にするために、ネットワークに通知することが可能であってもよい。
【００９１】
ＳＡ−セル３３及び３４は、主に、専用チャネルを介して、例えば、その目的のために確立されたデータ接続を介して端末３５から端末３５へユーザデータトラフィックを伝送することを意図している。しかし、それはまた、いくつかの別の情報および／またはいくつかの信号が１つ、または複数のＳＡ−セルを介して行われることが排除されていない。
【００９２】
ＬＡ−セル３２とは対照的に、ＳＡ−セル３３および３４の各々は、通常は、より高いビットレートでより小さなエリアをカバーするように構成されている。通常のシナリオ展開では、おそらく隣接のＳＡ−セルでカバーできるエリアには、かなりの重複が表示されるかもしれない。無線通信ネットワークの意図されたカバーエリアでは、ＳＡ−セル３３、３４の少なくとも一つは、カバーを提供することができると想定されてもよい。ＳＡ−セルは、それが必要とされる状況にある場合にだけフル動作するか、言い換えれば、「通常オフ」状態である。ＳＡ−セルは、省電力の少なくとも一つの形態、例えば、省電力モードまたはスタンバイモードをサポートすることを想定している。その結果のために、図６の例示的な実施形態では、ＳＡ−セル３４がＳＡ−セルで実行モード（黒三角として図６に示されている）である間、ＳＡ−セルが省電力モードであるＳＡ−セル３３（白三角として図６に示されている）として、図示されている。図６に示すように、省電力モードのＳＡ−セル３３によって有効に送信された信号および端末３５によって受信された信号は、破線の矢印で示されている一方で、実行モードのＳＡ−セル３４によって送信された信号、および端末３５によって受信された信号は、実線の矢印として示されている。
【００９３】
端末３５、ＬＡ−セル３２、およびＳＡ−セル３３、３４の各々は、送受信情報に関する、少なくとも、１または複数の通信インターフェース、格納データ（おそらく、通信インターフェースを越えた受信）に関するメモリユニットを含んでもよいし、データ及びプログラム実行を処理するプロセッサ、通信インターフェース、プロセッサ、メモリユニットは、本明細書に記載のこれらのユニットの機能を、適宜、実行するために構成されてもよい。 
【００９４】
従来のセルラシステムとは異なるエネルギー効率の高いネットワークの状況であるので、端末は、本発明の様々な実施形態によれば、ＬＡ−セルおよびＳＡ−セルの両方と通信しなければならなく、少なくとも３つの別の構成では、端末３５のために、端末３５から受信した信号を、そのようなセルタイプのいずれかのセルに当該信号を送信することが想定される。
【００９５】
端末３５のための第１の構成は、ＬＡ−セル３２（図６に図示しない、おそらく別のＬＡ−セル）と通信するためのＬＡ−セル無線インターフェースと、ＳＡ−セル３３、３４（図６に図示しない、おそらく別のＳＡ−セル）と通信するためのＳＡ−セル無線インターフェースのような、同時に２つの無線インターフェースをサポートするための実行モードの端末を想定している、「構成（ｉ）」として、以下で言及されている。当業者が理解されるように、この構成は、単一の無線インターフェースのみを介する端末よりも、少し複雑な構成を伴っている。少なくともいくつかの解決法では、そのような端末は、ＬＡ−セル無線受信機のみを必要とし、端末は、ＬＡ−セル無線インターフェースを介してＬＡ−セルから情報を受け取ることができるが、端末は、機能を持つ必要がないだけでなく、ＬＡ−セルに情報を送信する必要もない。他の解決法（例えば、ＬＡ−セルと信号情報の交換に関する）において、このような端末は、ＬＡ−セル無線送信機をも必要とし、それで、端末は、ＬＡ−セルに情報を送信することができるようになる。ＬＡ−セルと信号情報の交換には、低ビットレートのみを必要とするから、ＬＡ−セル無線インターフェースを維持することで、追加の複雑さ、コストおよびエネルギー消費量を低く抑えられるかもしれない。構成（ｉ）における端末３５は、実行モードでもよく、いつでも、ＬＡ−セル３２からの信号およびまたはデータ交換を受信してもよい。
【００９６】
端末３５のための第２の構成は、（１つまたは複数の）ＬＡ−セルに関するＬＡ−セル無線インターフェースと、（１つまたは複数の）ＳＡ−セルに関するＳＡ−セル無線インターフェースのような、すなわち時間分割モードで動作するように、迅速に動作モードを代えることで、２つの無線インターフェースをサポートする実行モードの端末を想定している、「構成（ｉｉ）」として、以下で言及されている。言い換えれば、そのような端末は、ある時点では、ＬＡ−セル無線インターフェースを有効にし、別の瞬間では、ＳＡ−セル無線インターフェースを有効にするであろう。構成（ｉｉ）の端末３５は、実行モードであり、実際にＳＡ−セル３４との間でデータ交換するときには、ＳＡ−セル無線インターフェースは、大部分の時間で有効になっていることが想定される。ＳＡ−セル３４とのデータ交換は、端末ユーザへの割り込みが悪化しないように、例えば１００ｍｓのような１秒以下に時間分割されて、短時間だけ中断されることを想定することが、更に好ましい。構成（ｉｉ）における端末は、実行モードでもよく、ＳＡ−セル無線インターフェースからＬＡ−セル無線インターフェースに無線インターフェースを再構成し、次に任意の時間で、しかし、ＳＡ−セル無線インターフェースにその無線インターフェース構成を再格納する前の、比較的短い（例えば１００ミリ秒）時間だけＬＡ−セルから信号を受信および／または、ＬＡ−セルとのデータ交換をしてもよい。このような方法で、類似する同時モードの動作が達成されてもよい。実施形態では、端末の動作が、ＬＡ−セル及びＳＡ−セルに無線インターフェースを再構成し、端末にユーザデータを送信する（および／または、端末と、おそらく他の端末にもシステム情報を送信する）ことは、端末がＬＡ−セルから、受信するデータによって無線インターフェースを構成する、ＳＡ−セルが特定の端末にユーザデータを送信しない（および／または、この特定の端末、場合によっては他の端末にシステム情報を送信する）期間で、他のＳＡ−セルの範囲の一つに同期させてもよい。このような実施形態は、ＳＡ−セルが無駄に端末にユーザデータを送信するのと、その上、ＳＡ−セル資源を浪費するのを回避することができる。また、そのＬＡ−セル無線インターフェース（その上、ＳＡ−セル無線インターフェースを使用することができない）を構成する端末の発生は、非常に頻繁である必要はなく、そのＬＡ−セル無線インターフェースが有効になっている端末の合計時間は、分割された時間で相対的に非常に小さい時間のみを含んでいてもよい。
【００９７】
端末３５のための有効な第３の構成は、２つの無線インターフェース（ＬＡ−セルに関する１つ及びＳＡ−セルに関する１つ）が、交互にサポートする、しかし、構成（ｉｉ）に記載されているような、迅速な交替（連続）のない動作モードの、実行の端末を想定し、「構成（ｉｉｉ）」として、以下で言及されている。例えば、構成（ｉｉ）で記載された類似する同時モードの動作は、それが必要ではないと考えられるから、および／または、例えば、無線インターフェースの再設定が、１秒以上を「迅速」とみなすより、多くの時間を必要とするなら、その手段は迅速な構成をサポートしていないから、使用されない。構成（ｉｉｉ）の形態の端末は、その無線インターフェースがＳＡ−セルとユーザデータを交換する間、ＳＡ−セルのために構成されているものとする。これにより、ユーザデータの交換は、構成（ｉｉ）のためのような短い中断を必要とすることなく、可能な最大速度で行うことができる。その結果、構成（ｉｉｉ）によれば、実行端末のデータ接続が確立されたときにも、同じＬＡ−セルのカバーエリア内にあるかどうかを確認することができない場合があってもよい。実行状態の端末が同じＬＡ−セルのカバーエリア内に残っている場合にも、ＬＡ−セルのシステム情報の変更は留意されなくてもよい。従って、端末は、ＳＡ−セルを介したそのデータ交換を終了しＬＡ−セルへの無線インターフェースを再構成した後、セル探索手順を実行してもよいし、ＬＡ−セルシステム情報を取得する必要があってもよい。セル探索手順と、十分なシステム情報の取得が完了する前に、例えば、着信や呼び出しメッセージのようなコールを逃さないために、当業者に知られている種々のアプローチは、修復するため、または、少なくともこの問題を軽減するため続けられてもよい。
【００９８】
構成（ｉ）、（ｉｉ）及び（ｉｉｉ）によれば、ＬＡ−セル無線インターフェースとＳＡ−セル無線インターフェースは、無線周波数を前後に分けて、又は物理的に同一の無線インターフェース（例えば、ＬＡ−セルおよびＳＡ−セルが同じ周波数帯域で動作するが、異なるキャリアで動作している場合）をシェアする、物理的に分かれた２つの無線インターフェースであってよい。後者の場合には、「ＳＡ−セル無線インターフェース」および「ＬＡ−セル無線インターフェース」は、物理的に無線インターフェースの「ソフト」の構成が異なるだけである。構成（ｉｉ）および（ｉｉｉ）に関する単一の物理的な無線インターフェースは、（ＳＡ−セル無線インターフェースが無効になっている一方で）ＬＡ−セル無線インターフェースとして有効化され、または（ＬＡ−セル無線インターフェースが無効になっている一方で）ＳＡ−セル無線インターフェースとして有効化されるいずれかでも、十分な能力がある。
【００９９】
本明細書で使用される場合、セルタイプ（ＳＡ−セル、ＬＡ−セル）に関する、「有効」という用語は、有効化または無効化されたＳＡ−セルまたはＬＡ−セル無線インターフェースの文脈において、セルタイプから、信号を受信することができるインターフェースのことを説明するために、そして、セルタイプとのデータ（ユーザデータ、信号データ、ネットワーク制御メッセージなどの任意のタイプのデータを含んでもよい）交換をサポートするために使用されている一方で、「無効」という用語は、そのインターフェースが、セルタイプからの信号を受信できなく、セルタイプとの交換をサポートすることができないことを記述するために使用されている。当業者であれば、インターフェースが「無効」になってもよいとする、様々な方法があることを認識するであろう。例えば、一つの極端な実施例では、無効化された無線インターフェースは、そのインターフェースの電気関連の構成部分から電源を供給しない状態で、無線インターフェースを完全にオフとすることができる。しかしながら、別の極端な実施形態では、インターフェース自体が物理的に完全に稼働しているにもかかわらず、単に使用されていないときに、無線インターフェースが「無効」であると考慮されてもよい。再びインターフェースを有効化するために必要な時間はなくその間、最小になり、又は、それが再び有効化する必要がある時に、無効化されたインターフェースの操作の準備には、最小遅延を要するから、後者の実施形態は、有利になるであろう。これらの極端な実施形態が、当業者に公知であろうと、本発明の範囲内にあろうとも、様々な他の実施形態における、どのような無線インターフェースが無効化されるかは、考慮されるだろう。
【０１００】
図７は、本発明の一実施形態によれば、ＬＡ−セルおよび通信ネットワーク内の複数のＳＡ−セルのカバーエリアの概略図である。図６で示されるＬＡ−セル３２であるところのＬＡ−セル４２は、図７に示すように、破線の円４３で示され、比較的大きなカバーエリアを有してもよい。図６では、ＳＡ−セル３３、３４であるところの、複数のＳＡ−セルの各々は、例えば、トライアングル４４のような三角形として示されている。ＳＡ−セル４４は、サークル４５のような濃い丸で示す、別の比較的小さなカバーエリアを有してもよい。さらに、図７は、待機モードの端末４６と実行モードの端末４７（太枠線で示す実行モードの端末）を示している。端末４６及び４７の各々は、図６での３５に示した端末であってもよいし、１つ又は、複数のカバーエリア４５内にあってもよい。ＬＡ−セル４２のカバーエリア４３内の端末４６は、ＬＡ−セル４２にキャンプオンされると言われている。カバーエリア４５を有するＳＡ−セル４４は、実行モードでＳＡ−セルを、濃い灰色で図示しようとしている一方で、省電力モードではＳＡ−セルを、白で図示しようとし、１つ又は複数の端末４７とのデータ接続の進行をしていてもよい。もちろん、他の実施形態では、カバーエリア４３および４５は、サークル内になく、基地局（セル）周辺の無指向性の区画をカバーする必要はありません。 
【０１０１】
再び図６で示す、本発明の実施形態に係るエネルギー効率の良いネットワークにおける端末３５の動作の通常例は、次のようであってもよい。端末３５は、ネットワーク（すなわち、待機状態の端末）を使用してユーザデータの交換をする必要がない場合には、従来のネットワーク内のセルに待機状態の端末がキャンプオンするのと、多くは同様の方法で、ＬＡ−セル３２にキャンプオンします。端末３５は、ネットワーク（すなわち、実行モードに入る必要がある）とユーザデータを交換する必要がある場合には、ネットワーク内の、図６で図示するＳＡ−セル３４のような適切なＳＡ−セルとのデータ接続を確立する。最高のエネルギー効率のために、適切なＳＡ−セルは、前もって使用をやめてもよいし（すなわち、スイッチオフされたか、省エネ状態に入ってもよい）、データ接続をサポートするために始動（すなわち、起動）する必要があってもよい。データ接続が確立されると、端末３５は、例えば、専用チャネルを介して、ＳＡ−セル３４を介して／ＳＡ−セル３４と共にユーザデータを交換（おそらく信号も）してもよい。ＳＡ−セルが、（ＳＡ−セルに残りの接続を送信後の場合において）トラフィックを持っていないか、または少しだけ残りのトラフィックを持っている場合、最も高いエネルギー効率向上のため、ＳＡ−セル３４は、その後の使用をやめてもよい（つまり、スイッチオフにしてもよいし、省エネ状態に入ってもよい）。ＬＡ−セルにキャンプオンし、待機モードを再開する端末３５は、データ接続を確立する前にキャンプオンしたのと同じＬＡ−セル（すなわち、ＬＡ−セル３２）であってもよいし、または、その端末、他のＬＡ−セルのカバーエリア内に移動した場合には、別のＬＡ−セルであってもよい。
【０１０２】
（実施例２）
ＬＡ−セルシステム情報を配信するＬＡ−セル、エネルギー効率の高いネットワークにおいてＳＡ−セルシステム情報を配信するＳＡ−セル
図６と図７および上述に記載されているように、端末３５は、例えば、専用チャンネルを介するという目的のために、端末３５とＳＡ−セル３４との間で確立したデータ接続を介して、ＳＡ−セル３４とユーザデータを交換して構成される実行状態の端末となるよう最初に想定される。少なくともＳＡ−セル３４と、ＳＡ−セル３２に関するシステム情報を含むＳＡ−セルシステム情報を取得した端末３５の問題は、端末３５に関連するかもしれないネットワーク３０内の別のＳＡ−セルおよび別のＬＡ−セルに関するシステム情報とおそらく同様に、実施例２で取り組まれている。
【０１０３】
この実施例の実施形態では、ＬＡ−セル３２は、そのＬＡ−セルのシステム情報を送信し、ＳＡ−セル３４は、そのＳＡ−セルシステム情報を送信し、その構成（ｉｉ）における端末３５のＳＡ−セル無線インターフェースおよびＬＡ−セル無線インターフェースは、分割多重化モードで交互に有効化する考えに基づくことを、図８に概略的に示している。図９で概略的に示すように、灰色の三角形で図示する通信チャネル５１を介して、そのシステム情報を送信するＳＡ−セル３４と共に、および／または、両端矢印で図示する専用チャネル５２、５３を介して、個々の端末３５に、点線の三角形で図示する通信チャネル５４を介して、そのシステム情報を送信するＬＡ−セル３２と共に、ＬＡ−セルおよびＳＡ−セルは、それらのそれぞれのシステム情報を送信してもよい。端末３５が待機モードにあるとき、端末３５は、待機状態の端末のような有効化したＬＡ−セル無線インターフェースを介して、端末がキャンプオンされたＬＡ−セル３２によるＬＡ−セルシステム情報の送信を受信するように構成されている。それ後、ＳＡ−セル無線インターフェースは無効になってもよい。端末３５が実行モードであり、時間の大部分において、実際に確立したデータ接続を介してＳＡ−セル３４との間でデータのやり取りをし、端末３５のＳＡ−セル無線インターフェースが有効化され、ＬＡ−セル無線インターフェースが無効化されます。ＳＡ−セル３４と端末３５からのシステム情報を含む他の信号を受信することができるのと同様に、その時点で、端末３５は、ＳＡ−セル３４とユーザデータを交換してもよいし、ネットワーク３０内の他のＳＡ−セルからシステム情報を含んだ信号を受信してもよい。その残りの、より小さい、時間の部分において、実行の端末３５のＬＡ−セル無線インターフェースが有効化すると、ＳＡ−セル無線インターフェースが無効化します。その時点で、端末３５は、おそらく、ＬＡ−セル３２を介して信号接続をサポートするのと同様に、ＬＡ−セル３２から、そして、ネットワーク３０内の他のＬＡ−セルからのシステム情報を含む信号を受信してもよい。このようにして、実行モードで、ＳＡ−セル無線インターフェースを介してＳＡ−セルとデータ交換をする端末は、一時的にユーザデータの交換を中断またはＳＡ−セルと一時停止するように構成されてもよいし、ＬＡ−セルまたは端末によりシステム情報を送信するためのＬＡ−セルが予想される場合、そのような端末が、１つまたは複数のＬＡ−セルによって送信されるＬＡ−セルシステム情報を受信してもよい。このような端末は、ＳＡ−セル無線インターフェースが有効になっているとき、１つ以上のＳＡ−セルからＳＡ−セルシステム情報を受信するように構成されている。
【０１０４】
上記に記載された構成（ｉ）によると、端末３５を伴って構成された、２つ同時の無線インターフェースの操作、いわば「並列」の操作は、実施例１以下に概説した様々なアプローチに使用することができる。実施例１の実施形態は、ＬＡ−セルおよびＳＡ−セルの各々による、対応する無線インターフェース、独立した他の無線インターフェースを介して、端末３５が受信するシステム情報の配信に適用することができる。
【０１０５】
本発明の一実施形態によれば、図１０には、１つ以上のＳＡ−セルおよび１つ以上のＬＡ−セルのシステム情報に関するシステム情報を取得するための４つの方法ステップのフロー図が示されている。図６に関連して説明されている方法ステップは、当業者であれば、本発明の範囲内で、如何なる順序で、システムが如何なる方法ステップを実行するように構成されているかを理解するであろう。
【０１０６】
この方法は、端末３５が実行モードであり、端末３５のＳＡ−セル無線インターフェースを有効にするステップ６１で始まる。次に、端末３５は、端末のＳＡ−セル無線インターフェースを介して、ＳＡ−セル３４からのＳＡ−セル３４に関するＳＡ−セル３４のシステム情報の少なくとも一部を受信する（もちろん、端末３５は、ＳＡ−セル３４とデータを交換してもよい）。端末３５は、端末３５に関連する他のＳＡ−セルからのＳＡ−セルシステム情報を受信してもよい。ステップ６２では、受信のための１つ又は、複数のＬＡ時間帯に、ステップ６３では、ＬＡ−セル３２のために、有効化したＬＡ−セル無線インターフェースを介し、ＬＡ−セルシステム情報を受信する間、端末３５が、そのＬＡ−セル無線インターフェースを有効にする。構成（ｉｉ）による端末３５と、迅速に２つを交替（ほとんど同時）する無線インターフェースは、例えば、１００ミリ秒（または、それ以下）のような分割されたごく一部の時間に、ＬＡ−セル３２のためのシステム情報を送信することが好ましい。前もって決めた時間内で、または、少なくとも、そのシステム情報の送信を開始する所定の瞬間に、例えば、１００ミリ秒の所定の周期で、ＬＡ−セルシステム情報を反復して送信するように、ＬＡ−セルは、ＬＡ−セルシステム情報を送信することが好ましい。ＬＡ−セルシステム情報を送信するパターンは、ＬＡ−セル３２自体によって、または、例えば、ネットワーク管理やＯＡＭ（操作、管理および保守）部、および／または同調部のような他の任意のネットワーク部のいずれかによって設定されてよい。ＬＡ−セルシステム情報の送信が起こる時の指示が端末３５に提供される場合、実行の端末は、例えば、ＬＡ−セルのシステム情報の送信の開始、受信、が期待される直前に、ＬＡ−セルへの無線インターフェースを再構成することができ、そして、オプション的に、ＬＡ−セル３２のカバーエリア内にまだあるかどうかを評価するために、その信号強度を測定するような他のＬＡ−セル関連の操作を実行もする。それが終了すると、端末３５は、ＳＡ−セルの無線インターフェースを元へ戻す再構成をしてもよい（また、例えば、ＳＡ−セル３４を介して、ユーザデータを交換し続けてもよい）。
【０１０７】
オプションステップ６４での端末３５は、少なくとも部分的に、受信したＳＡ−セルシステム情報および／又は受信したＬＡ−セルシステム情報に基づく、１つまたは複数の設定に構成してよい。実施形態での端末３５は、将来の使用のために、（複数の）ＳＡ−セル及び（複数の）ＬＡ−セル両方のシステム情報部分の少なくとも一部を格納するように構成されてもよい。これに関連して、ＳＡ−セル３４によって送信されたＳＡ−セルシステム情報は、専らＳＡ−セル３４とみなすことに限定されなく、それはまた、ネットワーク内の、例えば、図６に示す、複数のＳＡ−セルに隣接するＳＡ−セル３３のような、１つ以上の他の実行または待機のＳＡ−セルとみなしてもよいことに留意されてもよい。ちょうどサービス提供するＳＡ−セル３４より、別のＳＡ−セルに関するＳＡ−セルシステム情報も、受信および記憶する端末３５は、例えば、隣接する、別のＳＡ−セルへの移譲の場合には、利点があると考えられる。次に、システム情報、または、新しいＳＡ−セルに最も関連する部分は、移譲後に端末に代わり、移譲を実行する前の端末によって、すでに取得することができる。通常のアプローチと比較して、より迅速に完了させるため移譲を容易にするよりも、「前衛的のような」別のセルに関するシステム情報の取得は、ほとんどのシステム情報を、移譲を実行した後にのみ取得する。迅速に移譲を実行できることは、典型的にＳＡ−セルのような小さなセルサイズ、また、機動性の高い端末、例えば、ＳＡ−セルのように比較的短い滞留時間の特定のセルに起因する場合には、特に、プレミア付きである。このような単なるサービス提供するＳＡ−セルより、「前衛的」のような別のＳＡ−セルに関するシステム情報の取得は、特にエネルギー効率の高い、移譲の標的のＳＡ−セルが、まだ待機の状態（例えば図６で図示するＳＡ−セル３３）で、フル動作になる前に、再び実行状態にする必要のある、ネットワークで優位である。ＳＡ−セルの再実行の間は、端末３５は、移譲のためのＳＡ−セル自身を構成するため、その特定のＳＡ−セルの格納されたシステム情報を都合良く使用してよいように、まだ、そのＳＡ−セルシステム情報の送信をフルにできなくてもよい。同様に、ＬＡ−セル３２によって送信されるシステム情報は、専らＬＡ−セル３２とみなすことに限定されるものではなく、上記の利点は、より小さい範囲のＬＡ−セルに適用されるけれども、例えば、隣接するＬＡ−セルのような、（図９に図示されない）ネットワーク内の１つまたは複数の他のＬＡ−セルとみなされてもよい。システム情報を格納する類似した利点は、データへのＬＡ−セルシステム情報更新を維持し、ユーザデータの交換が完了したときに、待機モードに戻って復帰した、実行状態の端末に適用されることにある。例えば、端末３５が再び待機状態になったとき、端末は、その設定を構成するために格納されたＬＡ−セルシステム情報を適用するようである。全ての場合において、特定のセル（ＳＡ−セルまたはＬＡ−セル）に関する格納されたシステム情報は未だ有効であるかどうかを、迅速にチェックすることができる端末であることが好ましい。これは、例えば、システム情報バージョンの番号付けにより、従来の方法で実現されてよい。このようなバージョン番号付けによる通信されたシステム情報については、むしろ、頻繁に通信されている。つまり、専用チャネルを介して提供されたシステム情報に関しては、セルに、その格納されているシステム情報のバージョン番号の表示を送信する端末を提案し、セルが、このバージョンが未だに有効か、または最新のバージョン番号であるかどうかを確認し、応答させ、端末によって示されるバージョン番号が変更されてから、これらのシステム情報部分の最新の（すなわち有効な）部分を提供します。ネットワーク３０を構成されてもよく、端末はＳＡ−セルおよびＬＡ−セルのシステム情報を取得してもよい、様々な方法があり、「非常に簡単な構成」、「より柔軟な構成」および「最も柔軟な構成」として、以下に詳述されている。
【０１０８】
非常に簡単な構成
非常に簡単な構成では、例えば、ＳＡ−セル３４のようなＳＡ−セルは、実行状態の端末３５の各々にユーザデータを送信するように構成され、例えば、ＬＡ−セルのシステム情報を送信するように構成されているＬＡ−セル３２や、例えば、各１００ミリ秒の間、ＬＡ−セルシステム情報を送信し、他の９００ミリ秒の間、ユーザデータを送信するＬＡ−セル３２のように、ＳＡ−セルは、前もって決めた所定のＬＡ−セル期間と重ならない期間にだけサービス提供する。言い換えれば、前もって決められたＬＡ−セルシステム情報の送信のための所定の期間は、端末が、ＳＡ−セルを介してユーザデータを受信するためではなく、ＬＡ−セルのシステム情報を受信し、取得するのを許可するため確保され、そのため、ＳＡ−セルが、ユーザデータを１００％送信できる時間の状況と比較して、ユーザデータに関するＳＡ−セルのスループットは、この例で９０％減らすことを達成できる。ＳＡ−セルが、ユーザデータを送信してよい期間は、「第１の期間」と現在、この実施例に記される一方で、ＬＡ−セルが、そのＬＡ−セルシステム情報を送信するために構成されている場合の、前もって決められた所定の期間は、「第２の期間」と、記されている。第１及び第２の期間が重ならないように構成されているが、隣接する期間である必要はありません（すなわち、これらの期間の間にギャップがあってもよい）。
例えば端末の再構成のため、無線インターフェースの完了を許可し、両方のセルタイプ間における、任意の不正確なタイミングを許可するため、それらは任意の追加の許容範囲として、適用されてよい。
【０１０９】
ＳＡ−セルは、ＳＡ−セルのカバーエリアに部分的に重なる単一ＬＡ−セルよりも多く存在してもよいから、その第１の期間のＳＡ−セルは、関連ＬＡ−セルの各々の第２の期間を考慮することが要求されるだろう。時間分割のさらなる低下を回避するために、ＳＡ−セルは、第１の期間を利用でき（さらにスループットの低減が達成できる）、重複可能な限り、例えば、これらがかなり同時に発生するように、ＬＡ−セルは、互いに第２の期間と同期させることが好ましい。上記の例を使用すると、１００ミリ秒毎の第２期間は、第ＳＡ−セルに関連する全てのＬＡ−セルによってかなり同時に使用されるであろう。
【０１１０】
この非常に簡単な構成では、ＳＡ−セルがそのシステム情報を送信することができる方法について２つの選択肢が存在する。第１の選択では、ＳＡ−セルは、第２の期間（すなわち、ユーザデータが送信されない期間）おそらくは、第１の期間には含まれない、第１及び第２の期間のギャップの間に、ＳＡ−セルのシステム情報を送信するように構成されてよい。この選択案では、ＳＡ−セルのシステム情報は、比較的高いデータレートで送信されてよいし、これらの期間中、ＳＡ−セルは、このように、ユーザデータに関する任意の送信資源を必要としないので、多量のＳＡ−セルシステム情報が比較的短時間で送信されてよい。第２の選択案では、ＳＡ−セルは、第１の期間中、第２の期間中、および／またはギャップの間のＳＡ−セルシステム情報の送信を含む、ＳＡ−セルのシステム情報をいつでも送信するように構成されてもよい。第２の選択案のさらなる実施形態では、第２の期間に、そして、おそらくはギャップの間において、ＳＡ−セルシステム情報伝送レートは、例えば、第１の選択案のものに匹敵するレートのような、比較的高いレートに設定されてよい。両方の選択肢については、ＳＡ−セルは、端末からユーザデータを受信することが可能な期間に限定されるものではない。つまり、ＳＡ−セルは、端末がＳＡ−セルにユーザデータを送信するか否かを選択することができる任意の時間に受信するよう構成されてよい。システムは、ＴＤＤ（同時送受信）モードで動作するように構成されている場合、セルから端末へ下り伝送のために割り当てられた（たぶん前もって決められた所定の）時間帯と、端末からセルへの上り伝送のために割り当てられた別の時間帯が存在することが一般的であることに注意してください。そして、もちろん、上記の構成はそれぞれ、下りおよび上り伝送のために割り当てられたＴＤＤ時間帯に適合しなければならない。
【０１１１】
ＬＡ−セルは、第２の期間（つまり、第１の期間でも、ギャップの期間でもない）にだけ、実行状態の端末にＬＡ−セルシステム情報を送信するように構成されてもよい。代替案では、ＬＡ−セルは、第２の期間外で、例えば、待機状態の端末、および／または別のフォーマット（例えば、より低いビットレート、より簡単なコーディング等）で送信される（部分的に）同一のシステム情報に関することを意図しない、待機状態の端末に合わせて、任意のＬＡ−セルのシステム情報を送信するように構成されてもよい。例えば、専用信号接続および／またはＬＡ−セルを介していくつかのユーザデータの交換をサポートするため、ＬＡ−セルを介してデータの交換は、いつでも（勿論、ＴＤＤの場合には、上記のような割り当てられた時間帯を考慮にいれて、）実行されてよい。
【０１１２】
複数のＬＡ−セルがそのシステム情報を送信してもよいネットワークでの、一実施形態では、異なるＬＡ−セルは、例えば、１００ミリ秒の期間内の任意の時間に、実質的に同時に発生するそれらのシステム情報の送信を同期させるように構成されてもよい。このような手段の利点は、端末との間および／または端末と結びつけられて良いＬＡ−セルとの間を区別しない必要があり、１００ミリ秒の間、ＳＡ−セルは、単独のユーザデータの自由な送信スケジュールだけ必要になります。このような手段の欠点は、端末は、おそらく、１００ミリ秒の任意の期間に、単独のＬＡ−セルからのみ、システム情報を受信し、取得することができることにある。別の実施形態では、異なるＬＡ−セルは、例えば、１００ミリ秒の連続した期間に実質的に発生するそれらのシステム情報の送信を同期するように構成されてもよい。このような実施形態では、端末は、連続した１００ミリ秒の応答時間帯で複数（例えば、２つ）のＬＡ−セルからシステム情報を受信し、取得することができるという利点を有する。このような手段の欠点は、ユーザデータのＳＡ−セルスループットをさらに低減達成できること、おそらくは、端末当たり（又は、少なくとも１対のＬＡ−セル当たり）ＳＡ−セルのフリー送信期間のスケジューリングの必要性があることです。
【０１１３】
任意のＬＡ−セルシステム情報の必要のない実行状態の端末は、ＳＡ−セルへの無線インターフェースを保持するように構成されてよいし、ユーザデータをいつでも送信してよいし、第１の期間中にユーザデータを受信し、ＳＡ−セルシステム情報を第２の期間（そして、おそらくギャップの期間）に受信してもよい。ＬＡ−セルのシステム情報を受信したい実行状態の端末は、第１の期間中にユーザデータを送信および／または受信し続けるように構成されてもよい。次に、第１の期間の終わりに向かって、端末は、ＬＡ−セルへの無線インターフェースを再構成（タイムギャップがこれを容易にしてよい）するだろうし、ＬＡ−セルシステム情報を受信し、第２の期間の終わりに向かって、より遅延なく、ＳＡ−セルへの無線インターフェースを再構成（タイムギャップは、再度、これを容易にしてよい）する。その後、端末は、次の第１期間の間に、ＳＡ−セルを介してユーザデータの送信および／または受信を再開してもよい。
【０１１４】
上記が示すように、この構成では、特に、ＳＡ−セルのシステム情報とＬＡ−セルのシステム情報の第１の選択案において、ＳＡ−セルとＬＡ−セルによるシステム情報の送信は、追加のＳＡ−セルシステム情報の送信が、第１と第２の期間の間のギャプの間に起こり得る第２の期間に、実質的に同時に発生するように調整されている。 
【０１１５】
より柔軟な構成 
この構成では、前もって決められた第１の期間と第２期間の所定の繰り返しの順序が存在しない。 
【０１１６】
ＳＡ−セルは、連続的に、または下りでのユーザデータの送信を中断または休止してユーザデータを送信してよい特定の端末へ、前もって決められた所定の、指定され、示され、および／または特定の端末によって事前にＳＡ−セルに命令された、ＳＡ−セルのユーザデータ送信の休止のユーザデータを送信してよい。従って、端末はＳＡ−セルがユーザデータの送信自由な期間が必要になる場合にあるならば、例えば、１つまたは複数のＬＡ−セルからシステム情報を受信し、１つまたは複数のＬＡ−セル上の信号レベルの測定を行い、および/または１つまたは、複数のＬＡ−セルと（例えば、信号情報の交換を伴う）接触する目的のために、フル制御することが可能である。これはまた、ＳＡ−セルのユーザデータの送信自由な期間の固有の端末および固有の機会の矯正を可能にします。例えば、その無線インターフェースの遅い再構成手段の端末は、その無線インターフェースの迅速な再構成手段の別の端末、または、例示の１００ミリ秒よりも、例えば、１００ミリ秒の期間内でフルシステム情報の受信および取得をねらうことより、特定のシステム情報の部分の予期される送信時間に辺りを付け、より短いＳＡ−セルの送信自由な期間を命令してよい、特定のシステム情報の部分を必要とする端末よりも、より長いＳＡ−セルの送信自由な期間に命令してよい。
【０１１７】
より柔軟な構成では、ＳＡ−セルが、下りで特定端末へのユーザデータ送信を中断するとき、ＳＡ−セルは中断の指定されていない別の端末へのユーザデータの送信をし続けてもよい。
【０１１８】
ＳＡ−セルによるＳＡ−セルシステム情報の送信のために、前に記載した構成に関しるすべてのオプションは、強く好まれることなく開かれている。例えば、ＳＡ−セルは、従来のように、ほぼ連続的に、適度なビットレートで、そのＳＡ−セルシステム情報を送信するように構成されてもよい。別の例では、ＳＡ−セルは、短いバーストで、より高いビットレートで、ＳＡ−セルシステム情報を送信するように構成されてもよい。
【０１１９】
ＳＡ−セルは、いつでもユーザデータを受信するように構成されてもよい。つまり、端末は、（TＤＤの場合には、当然のことながら、上記の方法のように割り当てられた時間帯を考慮して）ＳＡ−セルにユーザデータを送信するか否かを選択してもよい。
【０１２０】
ＬＡ−セルは、ＬＡ−セルのシステム情報を送信するように、好ましくは短いバーストで、前もって決められた所定のスケジュール（例えば定期的に）により、例えば、ＬＡ−セルの監視端末によることが知られ、またはＬＡ−セルの監視端末によって復調された、いくつかのネットワーク管理部または同期部のように、前もって決められたＬＡ−セルまたはネットワークノードによって、構成されてもよい。「非常に簡単な構成」について、上記のＬＡ−セルの代替に対応するには、ＬＡ−セルは、第２の期間以外で任意のＬＡ−セルのシステム情報を送信するのと同様に、この構成内のオプションにある。
【０１２１】
例えば、専用信号接続をサポートするため、および／またはＬＡ−セルを介して任意のユーザデータの交換をサポートするため、ＬＡ−セルを介したデータの交換は、（ＴＤＤの場合には、勿論、上記のような、割り当てられた時間帯を考慮に入れて）いつでも実行されてよい。
【０１２２】
任意ＬＡ−セルシステム情報を必要としない実行状態の端末は、ＳＡ−セルに構成された、その無線インターフェースを維持してもよいし、ユーザデータをいつでも送信してもよいし、ＳＡ−セルのシステム情報をいつでも受信してよい（少なくとも、ＳＡ−セルのシステム情報が送信された場合）。ＬＡ−セルシステム情報を必要とする実行状態の端末は、ＳＡ−セルは、特定の端末へユーザデータのその下り送信に（割り込み）一時停止する必要があるときに、データ接続した端末を伴うＳＡ−セルへの指示を、最初に提供するように構成されてもよい。その最後に、端末は、例えば、周期的なスケジュールに従った、指定された開始時間と終了時間での単独の中断、指定された開始時間の単独の中断と継続時間の中断、または複数の中断、などの指示を提供してもよい。一時停止（中断）された場合の期間は、全く発生しないか、一度発生する可能性があるか、（おそらく異なる期間で）繰り返し発生することがある、ＳＡ−セルの下りでのユーザデータの送信は、定義された端末と、固有の端末の期間の違いを伴う、このより柔軟な構成では、「非常に簡単な構成」で説明した第２の期間と比較されてもよい。端末は、ＳＡ−セルに指示を提供した後に、中断の開始時まで、ユーザデータを送信及び／又は受信し続けてもよい。開始時または後に、端末は、ＬＡ−セルへの無線インターフェースを再構成してもよい。そうする時間は、端末に知られているものとすると、下りでのユーザデータのＳＡ−セルへの中断開始時を指定する際に考慮されるものとする。ＬＡ−セル無線インターフェースを有効にした端末は、遅くとも中断終了時に向かって、ＬＡ−セルシステム情報又は少なくとも、その情報の関連部分を受信するよりも、無線インターフェースをＳＡ−セルへ戻す再構成をしてもよい。ＬＡ−セルに端末の無線インターフェースを再構成するための時間と同様に、ＳＡ−セルに端末の無線インターフェースを再構成する時間は、端末に知られているものとし、下りでのＳＡ−セルのユーザデータの中断終了時を指定する際に考慮されるものとする。端末は、中断終了以降からユーザデータを送信および／または受信を再開してもよい。
【０１２３】
上記が示すように、この構成は、ＳＡ−セルおよびＬＡ−セルによるシステム情報の送信の調整を必要としない。しかし、端末は、ＬＡ−セルシステム情報を監視する必要があり、それらの時間（「第２の期間」）の間にＳＡ−セルシステム情報を監視することができなく、繰り返し、安定した、全てのＳＡ−セルシステム情報を逃すことになるであろう。これは、短いバーストで送信されたＳＡ−セルシステム情報が、ＬＡ−セルシステム情報の送信と一致する場合に、発生する可能性がある。端末はまた、繰り返し、安定して、ＳＡ−セルシステム情報を、実質的に連続して送信しても、特定のＳＡ−セルのシステム情報の部分を見逃す可能性がある。このような状況を回避するために、好ましくは、ＳＡ−セルシステム情報送信の繰り返し率はＬＡ−セルシステム情報の繰返し率とは異なるように、ＳＡ−セルおよびＬＡ−セルは、それらのそれぞれのシステム情報の送信を同期させるだろう。そのような同期では、ＳＡ−セルシステム情報の部分は、端末が、ＳＡ−セルのシステム情報の同じ部分を繰り返し、安定して見逃してよいが、ＳＡ−セルのシステム情報に沿うようにシフトするであろう。これは、例えば、実行状態の端末のための（おそらく短い）ＬＡ−セルシステム情報の送信継続時間（すなわち、第２の継続期間）に相当する、ＬＡ−セルシステム情報の繰返し時間より短いか、または長いかのいずれかであるＳＡ−セルのシステム情報の繰返し時間を選択することによって、実現されるだろう。代替の解決手段は、このような第２の期間をスキップし、ＳＡ−セルシステム情報または明示して要求する端末を、受信し、取得するために、ＳＡ−セルに構成され、その無線インターフェースを維持する端末として、例えば、ユーザデータの交換に使用される専用チャネルを介して、いくつかの指定されたＳＡ−セルシステム情報をＳＡ−セルに提供するために、例えば、再度、ユーザデータの交換に使用される専用チャネルを介して、実施例１のオプション２および５を適用する場合には、特に有利であってよい。
【０１２４】
ＳＡ−セルは、少なくとも部分的にあるカバーエリアが、複数のＬＡ−セルによるカバーエリアと重なることがあってもよいので、この構成では、隣接のＬＡ−セルでは、かなり同時に発生するため、互いにそれらのＬＡ−セルシステム情報送信を同期させることは必要とされない。端末は、ＬＡ−セル（すなわち、端末を監視しようとする特定のＬＡ−セル）のＬＡ−セルシステム情報を送信する期間に対応する、下りでのＳＡ−セルユーザデータ送信の中断の指示および／または命令をしてよい。しかしながら、本実施形態では、同期されたＬＡ−セルシステム情報の送信は、まだ、実行されてもよい。別の中断期間を、別のＬＡ−セルに対して指定する必要がないので、そのような手段では、端末のために有利であってよい。
【０１２５】
最も柔軟な構成 
この構成は、上述の「より柔軟な」構成によると、より大きな構成であり、下りでのＳＡ−セルユーザデータの開始および終了時の中断（すなわち、下りでのユーザデータの送信の一時停止および再開）は、瞬間毎に、実行状態の端末によって指定される。
【０１２６】
一実施形態では、端末は、時間指定せずに、または、将来の特定時刻の指定する命令の適用を伴って、下りでのＳＡ−セルユーザデータの送信を一時停止する命令を送信してもよい。現在の瞬間に関連する、すなわち、直ちに、又は合理的に可能な限りできるだけ早く適用される、命令を受信したＳＡ−セルは、時間指定せずに命令を解釈するように構成されてもよい。例えば、即時に一時休止するような命令を受信した後、ＳＡ−セルは、例えば、現在の送信ブロック又はユーザデータのフレームが完成するように、また、その端末への更なる送信を中止するよう構成されてもよい。即時再開する命令を受信した後、ＳＡ−セルは、直ちに端末への送信を再開するように構成されてもよい。
【０１２７】
別の実施形態では、端末は、任意の指定された時刻に下りでのＳＡ−セルユーザデータの送信を一時停止する命令を送信してもよい。指定時刻に一時停止の命令を受信したＳＡ−セルは、端末へのＳＡ−セル送信を遅くとも指定された時間に停止しなければならない命令と解釈するように構成されてもよい。指定時間の再開の命令は、ＳＡ−セルは早くても、その指定時刻から、端末への送信を再開することができることを示しています。
【０１２８】
一時停止を指定し、ＳＡ−セル送信を再開させるために、さらなる柔軟性を伴う端末への提供に基づいて、瞬間、瞬間毎の下りでのＳＡ−セルの送信時間を再開できるのは、すぐに端末がＬＡ−セル操作を実行し、ＬＡ−セルシステム情報の送信期間の終了を待たないことである。当業者は、直ちに、下りでのＳＡ−セルユーザデータ送信の開始および終了を許可するための、上記の、より柔軟な構成に関する説明を適用させる方法を理解するであろうし、瞬間、瞬間毎に基づいて指定されるために、その結果は、簡潔であることから、その説明はここでは繰り返さない。
【０１２９】
実施例３：エネルギー効率の良いネットワークにおける、ＬＡ−セルのＬＡ−セルシステム情報及びＳＡ−セルシステム情報の配信
上述に関連して、図６及び図７に図示するように、端末３５は、最初は、ＳＡ−セル３３、３４を介してユーザデータを交換せず、ＬＡ−セル３２上でキャンプオンしている待機状態の端末を想定している。端末３５は、端末３５とＳＡ−セル３４との間で確立したデータ接続を介した、ＳＡ−セル３４を使用してユーザデータ交換する目的のために、例えば、専用チャネルを用いて、実行状態になってもよい。本実施例３の形態によれば、ネットワーク３０内での他のＳＡ−セルと他のＬＡ−セルに関するシステム情報と同様の、少なくともＳＡ−セル３４に関するＳＡ−セルシステム情報と、ＬＡ−セル３２に関するＬＡ−セルシステム情報とを含むシステム情報から構成されるＳＡ−セルシステム情報の取得する端末３５のアドレスの問題は、端末３５に関連されてもよい。
【０１３０】
この実施例の実施形態は、ＬＡ−セル、例えばＬＡ−セル３２は、おそらくＬＡ−セルのカバーエリア内の端末に関する、少なくとも複数のＳＡ−セルの任意部分のＳＡ−セルシステム情報と同様、ＬＡ−セルシステム情報を送信するために使用してもよいという考えに基づいている。実施例３は、図１１、１２にそれぞれ示した２つの主要な実施形態にわけられてもよい。第１の実施形態では、ＬＡ−セル３２は、端末の全てのシステム情報を送信するため、通信／共通チャネルを使用する。第２の実施形態では、ＬＡ−セル３２は、個々の端末に少なくとも任意のシステム情報を送信するため、１つ又は複数の専用信号チャネルを使用する。これらの実施形態は、以下でより詳細に説明する。
【０１３１】
通信／共通チャネルを使用 
図１１では、本発明の一実施形態によれば、端末にＬＡ−セルシステム情報及びＳＡ−セルのシステム情報の両方を提供するＬＡ−セルについて、概略的に示している。図１１に示す実施例では、通信チャネル７１を介して端末３５に関連する１つまたは複数のＳＡ−セルのシステム情報と同様、ＬＡ−セル３２は、そのシステム情報を送信することを示している。待機状態の端末は、次いで、少なくともＬＡ−セルシステム情報通信チャネルが監視し続けている間は、ＬＡ−セル無線インターフェースを有効にのみする必要がある。これは、ＬＡ−セルとおそらくＬＡ−セルのカバーエリア内の関連する全てのＳＡ−セルに関する全てのシステム情報を取得するために、待機状態の端末を有効にします。待機状態の端末は、取得したシステム情報を格納してもよいし、データ更新し続けてもよい。特定のＳＡ−セルとのデータ接続を確立するときに、待機状態の端末は、さらに、特定のＳＡ−セルに関する格納されたシステム情報を使用してもよい。端末のそのような操作は、上記した、端末の構成（ｉ）、（ｉｉ）および（ｉｉｉ）のいずれかによってサポートされている。
【０１３２】
図１１で示すように、専用データチャネル７２、７３、および７４を介して、ＳＡ−セル３４を使用してのユーザデータ交換する各々の実行状態の端末は、さらに、ＬＡ−セル３２によって、通信されるシステム情報を監視するように構成されてもよい。端末３５は、定期的、又は、制動の更新を受信するいずれかの場合には、ＬＡ−セル３２によって、通信されるＬＡ−セルおよびＳＡ−セルシステム情報を監視するように構成されてもよい。
【０１３３】
図１１に示される実施例３の形態については、２つの端末の構成が想定されている。
【０１３４】
上述の構成（ｉ）の端末の使用は、実行状態の端末は、おそらく、連続的および／またはユーザデータ交換のために必要な程度に、ＳＡ−セル３４を介してユーザデータ交換するためにＳＡ−セル無線インターフェースを使用するように構成されている。端末は、ＬＡ−セルおよびＳＡ−セルのシステム情報を含む通信チャネル７１を使用するＬＡ−セル３２によるＬＡ−セルのシステム情報通信を監視するために、例えば、定期的に、または、そうする制動の更新を受信すると、予備的に、比較的短い時間でそのＬＡ−セル無線インターフェースを有効にするように構成されている。このような構成の１つの利点は、ＳＡ−セルを介したユーザデータ交換を中断されることなく、し続けてよいことである。しかしながら、端末は、ハードウェアにより高度な複雑さをもたらす、少なくとも短時間の期間、同時に２つの無線インターフェースをサポートする必要がある。
【０１３５】
構成（ｉｉ）の端末の使用は、実行状態の端末は、２つの無線インターフェースの間で交互するように構成されてもよい。時間の大きい方の部分に関しては、端末は、ＳＡ−セル３４を介したユーザデータ交換をサポートするため、ＳＡ−セル無線インターフェースを有効にしている。次に、ＬＡ−セル無線インターフェースは、無効にされる。時間の小さい方の部分に関しては、端末は、ＬＡ−セルおよびＳＡ−セルのシステム情報を含むＬＡ−セルシステム情報通信チャネル７１を監視するために、有効にしたＬＡ−セル無線インターフェースだけを持っている。ＳＡ−セル無線インターフェースは、その後、無効にされます。
【０１３６】
ＬＡ−セル３２によって送信された通信チャネル７１では、ＳＡ−セルシステム情報は、ＳＡ−セルまたはＳＡ−セルのグループごとにグループ化されてもよい。システム情報配信のより高いエネルギー効率のために、ＬＡ−セル３２は、例えば、これらのＳＡ−セルが実行状態にあるか、または、まもなく起動される状態かのような、必要な範囲の場合にのみ、ＳＡ−セルシステム情報を送信するように構成されてもよい。しかしながら、まだ実行状態でないＳＡ−セルを介してデータ接続の確立を高速化するために、ＬＡ−セル３２は、例えば、ＳＡ−セルの実行状態に関する表示を含む全てのＳＡ−セルのシステム情報を送信するように構成されてもよい。このようにして、待機モードの端末と実行モードの端末の両方は、ＬＡ−セルの通信チャネルを監視することだけで、ＬＡ−セルおよびＳＡ−セルのそれぞれに関するシステム情報を取得、格納および最新データの更新をすることができる。システム情報は、この情報を必要とする前でさえも、端末が利用できるようにすることができるので、このアプローチは、実行状態のＳＡ−セルを介するデータ接続を確立する手順、実行されようとするＳＡ−セルを介してのデータ接続を確立する手順、１つのＳＡ−セルから別のＳＡ−セルに移譲される手順をスピードアップすることができる。
【０１３７】
さらに、端末に利用可能なシステム情報を拡張するために、ＬＡ−セル３２に関するシステム情報を配信するためのセルの設定は、例えば、そのセルの外側にあるが、ＬＡ−セル３２のカバーエリアの近くにある、隣接するＬＡ−セルに関するシステム情報及び／又はＳＡ−セルに関するシステム情報を、さらに拡張してもよい。
【０１３８】
ＳＡ−セル３４を介するユーザデータの交換に最大の注意を向けさせた実行状態の端末を可能にするために、図１１に示す実施形態の更なる改良は、システム情報の関連部分が変更された場合に、実行状態の端末に制動信号または制動メッセージを提供することである。このような制動信号または信号メッセージは、例えば、端末への専用接続を介してネットワークによって送信されてよい、またはネットワーク内の１つまたは複数のＳＡ−セルによって通信されてもよい。制動は、オプションで、変更に関連しているとセルまたは複数のセルに示されてもよい。このような制動信号またはメッセージを受信した端末は、このように，任意のシステム情報に変更について通知され、それが変更されたシステム情報を取得するための端末に関連していてもよい。
【０１３９】
実施形態において、実行状態の端末は、例えば、可動性のため、古いＳＡ−セルから新しいＳＡ−セルへの移譲のため、そして、新しいＳＡ−セルからシステム情報を取得、更新、または照合する必要のために、端末が実行するとき、制動として任意のイベントを解釈されてよい。実行状態の端末に制動を提供することは、例えば、構成（ｉｉ）の端末で特に有益であろう可能性ある変更のため、ＬＡ−セル通信チャネルを周期的に監視するような、定期的な実行から、実行状態の端末への交替にある。
【０１４０】
他の実施例と比較して最もエネルギー効率的ではないけれども、図１１で示す実施形態は、端末がＬＡ−セルのカバーエリア内のすべてのＳＡ−セルのシステム情報を取得し、この情報を後で使用するために格納することが可能になるという利点を提供する。したがって、データ接続を確立する、または１つのＳＡ−セルから別のＳＡ−セルに移譲を行う実行状態の端末の場合には、接続の確立またはＳＡ−セルへの移譲が完了したとき、端末は通常、ＳＡ−セルに関するシステム情報のほとんどを取得するだけの状況と比較してより迅速にＳＡ−セルに関連する設定を適用することが可能となる。この実施形態は、つまり、端末が、データ接続を設定する前に、まだ待機状態の端末に隣接の実行状態のＳＡ−セルがなくても、事前に、待機状態の端末にＳＡ−セルシステム情報の配信を可能にもする。
【０１４１】
専用チャネルの使用 
あるいはまた、上述した実施形態には、ＳＡ−セルに関するシステム情報を通信するため、ＬＡ−セル３２での通信再資源の消費を避けるために、専用信号アプローチを用いることができる。ＳＡ−セルシステム情報及び／またはＬＡ−セルシステム情報、専用信号チャネル８２を介した実行状態の端末３５ｂにその変更の送信を提供する一方で、これは、通信チャネル８１を介した待機状態の端末３５ａに関する１つまたは複数のＳＡ−セルに関するシステム情報と同様に、ＬＡ−セル３２は、そのシステム情報を送信することが、図１２に概略的に示されている。
【０１４２】
この実施例のオプションでは、ＬＡ−セル３２のデータ接続設定でＬＡ−セル３２を介した専用信号接続を含む、データ接続の設定は、専用信号接続８２を介して提供するように構成されてもよいとき、ＳＡ−セルに関するすべての関連システム情報は、接続をサポートするように選択される。 
【０１４３】
イベントによる制動、例えば、可動性のため、古いＳＡ−セルから新しいＳＡ−セルの移譲のために、端末が実行したとき、或いは、例えば、ＳＡ−セルおよび／またはＬＡ−セルのシステムパラメータの再設定などのようなネットワークが、いくつかのシステム情報への変更を行ったとき、ＬＡ−セル３２を介した専用信号チャネル８２は、実行状態の端末３５ｂにその変更されたシステム情報を送信するように使用されてもよい。 
【０１４４】
このような実行端末については、二つの端末の構成が想定される。 
【０１４５】
上述した構成（ｉ）での端末を使用すると、実行状態の端末は、おそらく、連続的および／またはユーザデータ交換のために必要な範囲で、ＳＡ−セル３４を介してユーザデータを交換するために、そのＳＡ−セル無線インターフェースを使用してよい。端末３５ｂは、例えば、定期的に、またはそうする制動を受信すると、ＬＡ−セルを介した専用信号接続８２をサポートするため、ＬＡ−セル３２に関するＬＡ−セルシステム情報、又はＳＡ−セル３４に関する任意ＳＡ−セルシステム情報であってもよい任意の変更（更新）を受信するために、時折、比較的短い時間で、そのＬＡ−セル無線インターフェースを有効にするように構成されている。そのような手段の利点は、ＳＡ−セル３４を介したユーザデータの交換は、中断なく継続することができる。しかし、端末３５ｂは、少なくとも、より高いハードウェアの複雑さをもたらす短時間で、同時に２つの無線インターフェースをサポートする必要がある。
【０１４６】
上記構成（ｉｉ）で端末を使用すると、実行状態の端末は、２つの無線インターフェースの間で交互に構成されてもよい。時間のより小さい部分に関して、ＬＡ−セル３２に関するＬＡ−セルシステム情報または、任意のＳＡ−セル３４に関するＳＡ−セルシステム情報であってよい任意の変更（更新）を受信するために、端末が、有効化されたＬＡ−セル無線インターフェースだけ持ってよい一方で、時間のより大きな部分に関しては、端末は、ＳＡ−セル３４を介したユーザデータ交換をサポートすることが可能なＳＡ−セル無線インターフェースだけ持ってよい。
【０１４７】
なぜなら、専用信号接続を使用することから、図１１のものよりも、図１２で例示する実施形態は、エネルギー効率が良いと期待される。また、本実施形態では、システム情報配信のエネルギー効率に関連するもの以外の利点を有してもよい。例えば、移動端末が別のＳＡ−セルに、それぞれの移譲手順の失敗、おそらくネットワークと端末との間の全ての接触を失う可能性があり、頻繁に移譲していてもよいと考えている。頻繁にエラーが発生しやすいような移譲のシナリオでは、ＬＡ−セル３２を介して安定かつ一貫した信号接続を有することが非常に魅力的であり、失敗した移譲の信号接続を介して、迅速に修復されてもよい。そして、上述したように、ＬＡ−セルの信号接続を介して、必要なＳＡ−セルシステム情報部分を端末へ提供することに意味をなしてもよい。専用接続に関連付けられている全ての追加の節約は、専用信号接続し、おそらく関連ＳＡ−セルにのみ関するシステム情報を端末に提供するために、電力制御のアプリケーションとして適用されます。必ずしもではないが、典型的な低いエネルギー効率は、常に、端末とＳＡ−セル間よりも端末とＬＡ−セルとの間の経路損失の点で、より距離が大きく、その後のＬＡ−セル信号接続の安定性および信頼性によって勝ってもよい。
【０１４８】
実施例４：エネルギー効率の高いネットワークにおけるＬＡ−セルシステム情報及びＳＡ−セルシステム情報のＳＡ−セルの配信 
図６、図７および上述したこの解決法での実施例３と同様に、この明細書内で、端末３５は、まず第１に、ＳＡ−セル３３を、３４を介してユーザデータを交換せず、ＬＡ−セル３２上でキャンプオンしている待機状態の端末を想定している。端末３５はまた、例えば、それは専用チャネルを使用して、端末３５とＳＡ−セル３４との間で確立したデータ接続を介してＳＡ−セル３４とユーザデータを交換する目的を達するため、実行状態になってもよい。実施例４において、実施ＬＡ−セル３２、ならびに、少なくともＳＡ−セル３４とＬＡ−セル３２に関するシステム情報を含むＳＡ−セルのシステム情報を取得する端末３５のアドレスの問題は、おそらく、ネットワーク３０内の別のＳＡ−セルおよび別のＬＡ−セルに関するシステム情報と同様に、端末３５のために関連していてもよい。
【０１４９】
この実施例の実施形態は、ＳＡ−セル、例えばＳＡ−セル３４は、少なくとも、おそらくＳＡ−セルのカバーエリア内の端末のための、いくつかのＬＡ−セルに関連するＬＡ−セルのシステム情報と同様、ＳＡ−セルシステム情報の送信するために使用されてもよいという考えに基づいている。実施例４は、図１３および１４のそれぞれに示した２つの主要な実施形態に分離されてよい。第１の実施形態では、ＳＡ−セル３４は、端末へ全てのシステム情報の送信するために通信／共通チャネルを使用する。第２の実施形態では、ＳＡ−セル３４は、個々の端末にシステム情報の少なくとも一部を送信するために実行状態の端末との専用チャネルを使用する。これらの実施形態は、今からより詳細に説明する。
【０１５０】
通信／共通チャネルを使用
本発明の一実施形態によれば、図１３は、端末にＳＡ−セルシステム情報及びＬＡ−セルシステム情報の両方を提供するＳＡ−セルの概略図である。図１３に示す実施例において、ＳＡ−セル３４は、通信チャネル９１（図１３で、灰色の三角形で示される）を介して実行状態の端末３５ｂに関連する１つまたは複数のＬＡ−セルについてのシステム情報と同様に、システム情報を送信する。オプションで、ＳＡ−セル３４は、通信チャネル９１内に隣接のＳＡ−セルに関するシステム情報を含ませてもよい。また、図１３でも示すように、ＳＡ−セル３４には、実行状態の端末３５ｂのそれぞれと、データ接続９２、９３および９４（例えば、専用チャネル介して）を確立しています。
【０１５１】
ＬＡ−セルのＬＡ−セルシステム情報中の変更がある場合、図１３の矢印９５で示されているように、ＬＡ−セルは、ＬＡ−セルのカバーエリアに関連するかもしれない全てのＳＡ−セルに変更を通知するように構成されている。そのような通知は、例えば、ＬＴＥにおけるＸ２インターフェースのような、類似したアクセスネットワークインターフェースを介して、提供されてもよい。そのような通知を受けたＳＡ−セル３４は、その後、変更されたシステム情報及び通信チャネル９１を介して変更されたＬＡ−セルシステム情報の通知を通信する。別の（例えば、隣接する）ＳＡ−セルのシステム情報も通信するＳＡ−セル３４の場合には、同様に、隣接するＳＡ−セルの変更されたシステム情報に適用され、すなわち、別のＳＡ−セルは、関連する（隣接する）ＳＡ−セル（図１３に示されない）およびＳＡ−セル３４は、次に、変更されたシステム情報と通信チャネル９１を介して別のＳＡ−セルに関する変更されたＳＡ−セルシステム情報の通信を通知するように構成される。
【０１５２】
変更されたシステム情報の通知を受信する実行状態の端末３５ｂは、ＬＡ−セルおよび／またはサービス提供するＳＡ−セル３４の通信チャネル９１を介して別のＳＡ−セルについて変更されたシステム情報を取得する。 
【０１５３】
通常は、ＬＡ−セルと端末との間の距離に比べＳＡ−セルおよび端末との間は、非常に短い距離のため、図１３で示される実施形態は、エネルギー効率の観点から非常に魅力的である。しかし、待機状態の端末３５ａをサポートするため、少なくとも、いくつかのＬＡ−セルシステム情報、例えば、ＬＡ−セルネットワーク、ＬＡ−セルＩＤ、ＬＡ−セル通信チャンネルに関連する様々なパラメータ、ＬＡ−セルの隣接セルリスト等が、通信チャネル９６に示すように、ＬＡ−セル３２自身によって送信される必要がある。このようなエネルギー効率のこの利得は、例えば、移譲パラメータのような実行状態の端末のためだけに関連するＬＡ−セルシステム情報の一部に主に適用される。
【０１５４】
実施形態では、待機状態の端末に関連するＬＡ−セルシステム情報の部分はまた、非常に迅速なセル探索及び／又はデータ接続を完了した後のセルの再選択のため、実行状態の端末３５ｂに使用可能であるという、この情報の利点を提供するＳＡ−セル３４により送信されてもよい。しかし、この実施形態では、エネルギー効率の利得の少々の減少は、このＬＡ−セルシステム情報の重複送信をもたらすかもしれない。
【０１５５】
それはいくつかのカバーエリアを共有する１つまたは複数のＬＡ−セルの少なくとも任意のＬＡ−セルシステム情報を通信するＳＡ−セルは、そのＬＡ−セル無線インターフェースを使用する端末を必要とせずに、関連するＬＡ−セル（複数）に関する情報を実行状態の端末に提供するという付加的な利点を有していてもよい。例えば、ＳＡ−セル３４は、単一のＬＡ−セルに関する任意のシステム情報を通信するであろうときに、このシステム情報を受信する実行状態の端末は、データ接続を完了するであろうときに、ほぼ確実に自身が、特定のＬＡ−セルに再キャンプオンする先を見つけるだろうと結論付けられてよい。
【０１５６】
別の例では、例えば、実行状態の端末に移譲されたとＳＡ−セル、そして、２つのＬＡ−セル（すなわち、ＬＡ−セルはすでに「新しい」ＬＡ−セルと関連づけられた）に関する任意のシステム情報を通信するようなＳＡ−セル３４は、次の端末は、データ接続を完了するであろうとき、再キャンプオンする先を、単一の２つの主要候補間で選択を行うために、ほぼ確実に、自身で見つけるだろうと結論付けられてよい。上述の構成（ｉ）又は（ｉｉ）の端末において、２つのＬＡ−セルに関するＬＡ−セルシステム情報の送信は、これら特定のＬＡ−セルでの測定を実行するために端末を制動してよい。ＳＡ−３４セルは、最も関連性の高い隣接するＬＡ−セル（複数）についてのより詳細な情報を提供するので、端末のＬＡ−セルの隣接セルリストの情報があっても、無視することができる。それら全てのシステム情報を提供する（おそらく、複数の）ＬＡ−セルが、ＬＡ−セルのシステム情報を配信する狭い観点から最もエネルギー効率ではないかもしれないが、それにもかかわらず、そうすることは、通常は、低データレート、有効にする必要のあるＬＡ−セル無線インターフェースに関する時間を著しく減少させることができるから、構成（ｉｉ）の端末では、端末にとって有益であるかもしれない。上述の構成（ｉｉｉ）の端末において、端末は、そのデータ接続を終了したＳＡ−セルにより配信されるＬＡ−セルのシステム情報を取得することだけ必要である。システム情報が与えられたＳＡ−セルにより配信されたＬＡ−セルの数は、例えば、１つ、２つまたは３つのＬＡ−セルと、このように端末のためのセル探索及び／又はセル再選択手順をスピードアップし、それは、すでに、これらＬＡ−セルに関連するシステム情報を取得しているため、より制限される可能性が高い。
【０１５７】
専用チャネルの使用 
上述の実施形態の代わりに、ＬＡ−セル（複数）に関する通信システム情報のＳＡ−セル３４における通信資源の消費を回避するために、専用信号アプローチを用いることができる。これはＳＡ−セル３４は、ＬＡ−セルシステム情報又はその情報についての変更を送信し、オプション的に、システム情報及び／又は専用信号チャネル１０２〜１０４を介してそれらの変更を送信するために、図１３において、付加的に破線の矢印で示されるチャネル９２〜９４と同様に、別の（例えば、隣接する）ＳＡ−セル及びそれらの変更に関するＳＡ−セルのシステム情報を、実行状態の端末３５ｂに専用チャネルを介してユーザデータの送信するため、これらの端末を用いて確立した専用信号チャネル１０２〜１０４を介して、実線の矢印で図１４に概略的に示されている。残りの手順は、図１３に示す実施形態に関して記載したものと同様である。すなわち、（図１４で灰色の三角形として示されている）通信チャネル１０１は、上述した通信チャネル９１と同様に、実行状態の端末３５ｂに関するＳＡ−セルのシステム情報を通信するためにＳＡ−セル３４によって使用される。ＬＡ−セルのＬＡ−セルシステム情報に変更がある場合には、ＬＡ−セルは、上述の通知９５と同様、図１４の矢印１０５で示される、ＬＡ−セルのカバーエリア内に関連する可能性のある全てのＳＡ−セルへの変更を通知するように構成されている。例えば、ＬＡ−セルネットワーク、ＬＡセルＩＤ、ＬＡ−セル通信チャンネルに関連する様々なパラメータ、ＬＡ−セル隣接セルリスト等のような、少なくとも任意のＬＡ−セルシステム情報を送信するＬＡ−セル３２のための通信チャネル１０６は、待機状態の端末３５ａをサポートするため、上述した通信チャネル９６と同様である。
【０１５８】
接続の終了、そして待機モードに再開される前に、ＬＡ−セルシステム情報を必要としない実行状態の端末の場合は、例えば、実行状態の端末のために、ＬＡ−セル移譲が見越されていないならば、ＬＡ−セルシステム情報の変更を送信するのを控える、および／または接続の終了時まで、別のＬＡ−セルのカバーエリア内に移動の指示の提供を控えるように、ＳＡ−セルのために、より効率的である。次に、例えば、データ接続解放手順の一部として、それは、専用信号チャネル１０２−１０４の通信を介して、ＳＡ−セルが、最新のＬＡ−セルシステム情報を端末に提供することのみがあればよい。端末が依然として実行状態であり、実際にそのようなＬＡ−セルシステム情報を必要としない一方で、この方法では、おそらくは多数のＬＡ−セルシステム情報の変更および／または変更されたＬＡ−セルカバーエリアの指示の送信を回避されるかもしれない。専用信号チャネル１０２〜１０４は、高ビットレートをサポートすると想定されるので、このＬＡ−セルシステム情報の転送は、端末３５ｂに直ちに送信される各々の変更の状況と比較して十分な遅延をすることなしに完了することができる。
【０１５９】
図１４に示されている実施形態は、通信チャネルよりもエネルギー効率の高い専用チャネルの使用を考慮し、また、ＳＡ−セルは、小さなサイズしか有していないことを考慮して、最もエネルギー効率の良くなることが期待される結果、通信または共通チャネルを受信する単一の端末は、送信されたシステム情報から恩恵を受ける以上のものは無さそうである。図１３に示すように、通信／共通チャネルの使用の実施形態に関する上記のような追加の利点は、この実施の形態にも適用されます。
【０１６０】
上述の実施例３、４の実施形態は、また、組み合わせてもよい。例えば、実施例４の実施形態は、実行状態の端末のため適切なＳＡ−セルおよびＬＡ−セルシステム情報を配信する使用ができる一方で、実施例３の実施形態は、待機状態の端末のための適切なＳＡ−セルおよびＬＡ−セルシステム情報を配信する使用ができる。すなわち、ＬＡ−セルは、待機モードでの端末のための適切なＳＡ−セルおよびＬＡ−セルシステム情報を送信するように構成されてもよいし、ＳＡ−セルは、実行モードでの端末のための適切なＳＡ−セルおよびＬＡ−セルシステム情報を送信するように構成されてもよい。
【０１６１】
さらに、既に上述したように、実施例１に関連して説明した実施形態は、実施例２−４の通りに、ＳＡ−セルおよび／またはＬＡ−セルシステム情報を配信するＳＡ−セルおよびＬＡ−セルに有利に適用されてもよい。
【０１６２】
本発明の様々な実施形態は、コンピュータシステムと共に使用するためのプログラム製品として実装されてもよい。プログラム製品のプログラム（複数）は、実施形態の機能を定義し（本明細書に記載される方法を含む）、好ましくは、非一時的、直接コンピュータ入力に適した様々な記憶媒体に収容させることができる。直接コンピュータ入力に適した記憶媒体の実例となる、（ｉ）書き込み不可な記憶媒体（例えば、ＣＤ−ＲＯＭドライブ、ＣＤ−ＲＯＭチップ、または、任意のタイプの不揮発性半導体メモリによって、コンピュータ内で読み取り可能なＣＤ−ＲＯＭディスクなど）上に、情報が永久に保存され、および（ｉｉ）書き込み可能な記憶媒体（例えば、フレキシブルディスク、または、ディスクドライブ、またはハードディスクドライブ、または任意のタイプのランダムアクセス半導体メモリ、フラッシュメモリなど）上に変更可能な情報が格納されているものには、限定されない。コンピュータプログラムは、本明細書に記載のプロセッサで実行されてもよい。
【図１】
0005856689.tif 000002
【図２】
0005856689.tif 000003
【図３】
0005856689.tif 000004
【図４】
0005856689.tif 000005
【図５】
0005856689.tif 000006
【図６】
0005856689.tif 000007
【図７】
0005856689.tif 000008
【図８】
0005856689.tif 000009
【図９】
0005856689.tif 000010
【図１０】
0005856689.tif 000011
【図１１】
0005856689.tif 000012
【図１２】
0005856689.tif 000013
【図１３】
0005856689.tif 000014
【図１４】
0005856689.tif 000015